(57)【要約】  無線リソース制御手順を効率的に行うことが可能な端末装置、基地局装置、通信方法および集積回路に関する技術を提供すること。端末装置は、ターゲットセルの情報と、カバレッジレベルに関するランダムアクセス情報と、ハンドオーバーに関するタイマーとを含むハンドオーバーを指示するＲＲＣメッセージを前記基地局装置から受信した場合に、前記ハンドオーバーに関するタイマーを開始し、前記ターゲットセルの前記カバレッジレベルに関するランダムアクセス情報を用いて前記ターゲットセルに対してランダムアクセスを実行する。
2016153026.tif 000002
【特許請求の範囲】
【請求項１】
基地局装置と通信を行う端末装置であって、
ターゲットセルの情報と、カバレッジレベルに関するランダムアクセス情報と、ハンドオーバーに関するタイマーとを含むハンドオーバーを指示するＲＲＣメッセージを前記基地局装置から受信した場合に、前記ハンドオーバーに関するタイマーを開始し、前記ターゲットセルの前記カバレッジレベルに関するランダムアクセス情報を用いて前記ターゲットセルに対してランダムアクセスを実行する端末装置。
【請求項２】
前記ターゲットセルへのランダムアクセスに問題が発生した場合に前記ハンドオーバーに関するタイマーを停止する請求項１に記載の端末装置。
【請求項３】
前記ハンドオーバーに関するタイマーの値として、レピティションを必要とするカバレッジレベルのセルに対応する第１のタイマーの値と、レピティションを必要としないカバレッジレベルのセルに対応する第２のタイマーの値とをサポートする請求項１に記載の端末装置。
【請求項４】
端末装置と通信を行う基地局装置であって、
ターゲットセルのカバレッジレベルに関するランダムアクセス情報を用いたハンドオーバー手順を前記端末装置に実行させる場合、前記ターゲットセルの情報と、カバレッジレベルに関するランダムアクセス情報と、ハンドオーバーに関するタイマーとをハンドオーバーを指示するＲＲＣメッセージに含めて前記端末装置に送信し、
前記ハンドオーバーに関するタイマーが、前記端末装置によって開始され、前記ターゲットセルの前記カバレッジレベルに関するランダムアクセス情報を用いて前記ターゲットセルに対してランダムアクセスが、前記端末装置によって実行される基地局装置。
【請求項５】
基地局装置と通信を行う端末装置の通信方法であって、
ターゲットセルの情報と、カバレッジレベルに関するランダムアクセス情報と、ハンドオーバーに関するタイマーとを含むハンドオーバーを指示するＲＲＣメッセージを前記基地局装置から受信した場合に、前記ハンドオーバーに関するタイマーを開始するステップと、前記ターゲットセルの前記カバレッジレベルに関するランダムアクセス情報を用いて前記ターゲットセルに対してランダムアクセスを実行するステップとを少なくとも備える通信方法。
【請求項６】
前記ターゲットセルへのランダムアクセスに問題が発生した場合に前記ハンドオーバーに関するタイマーを停止するステップを更に備える、請求項５に記載の通信方法。
【請求項７】
前記端末装置において、前記ハンドオーバーに関するタイマーの値として、レピティションを必要とするカバレッジレベルのセルに対応する第１のタイマーの値と、レピティションを必要としないカバレッジレベルのセルに対応する第２のタイマーの値とをサポートする請求項５に記載の通信方法。
【請求項８】
端末装置と通信を行う基地局装置の通信方法であって、
ターゲットセルのカバレッジレベルに関するランダムアクセス情報を用いたハンドオーバー手順を前記端末装置に実行させる場合、前記ターゲットセルの情報と、カバレッジレベルに関するランダムアクセス情報と、ハンドオーバーに関するタイマーとをハンドオーバーを指示するＲＲＣメッセージに含めて前記端末装置に送信するステップを備え、
前記ハンドオーバーに関するタイマーが、前記端末装置によって開始され、前記ターゲットセルの前記カバレッジレベルに関するランダムアクセス情報を用いて前記ターゲットセルに対してランダムアクセスが、前記端末装置によって実行される通信方法。
【請求項９】
基地局装置と通信を行う端末装置に実装される集積回路であって、
ターゲットセルの情報と、カバレッジレベルに関するランダムアクセス情報と、ハンドオーバーに関するタイマーとを含むハンドオーバーを指示するＲＲＣメッセージを前記基地局装置から受信した場合に、前記ハンドオーバーに関するタイマーを開始する機能と、前記ターゲットセルの前記カバレッジレベルに関するランダムアクセス情報を用いて前記ターゲットセルに対してランダムアクセスを実行する機能を少なくとも発揮させる集積回路。
【請求項１０】
端末装置と通信を行う基地局装置に実装される集積回路であって、
ターゲットセルのカバレッジレベルに関するランダムアクセス情報を用いたハンドオーバー手順を前記端末装置に実行させる場合、前記ターゲットセルの情報と、カバレッジレベルに関するランダムアクセス情報と、ハンドオーバーに関するタイマーとをハンドオーバーを指示するＲＲＣメッセージに含めて前記端末装置に送信する機能を発揮させ、
前記ハンドオーバーに関するタイマーが、前記端末装置によって開始され、前記ターゲットセルの前記カバレッジレベルに関するランダムアクセス情報を用いて前記ターゲットセルに対してランダムアクセスが、前記端末装置によって実行される集積回路。
【発明の詳細な説明】
【技術分野】
【０００１】
本発明は、無線リソース制御手順を効率的に行う端末装置、基地局装置、通信方法および集積回路の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の標準化が行なわれた。ＥＵＴＲＡは、ＬＴＥ（Ｌｏｎｇ  Ｔｅｒｍ  Ｅｖｏｌｕｔｉｏｎ）とも称する場合がある。【０００３】
また、３ＧＰＰでは、より高速なデータ転送を実現し、ＬＴＥに対して上位互換性を持つＬＴＥ  Ａｄｖａｎｃｅｄの検討を行っている（ＬＴＥ−Ａとも称する）。【０００４】
ＬＴＥ  Ａｄｖａｎｃｅｄでは、マシンタイプコミュニケーション（Machine Type Communication: ＭＴＣ）またはマシン間通信（Machine To Machine Communication: Ｍ２Ｍ）に用いる端末装置の低コスト化（低複雑化（low complexity）とも称する）に関する検討が行われている（非特許文献１）。以下、ＭＴＣ／Ｍ２Ｍ用に設計され、低コスト化および／またはカバレッジ拡張に対応（サポート）する機能を有する端末装置、または通信デバイスを、ＭＴＣＵＥ（Machine Type Communication User Equipment）とも称する。ただし、このような端末装置の用途はマシンタイプコミュニケーションやマシン間通信に限定されない。【０００５】
３ＧＰＰにおいて、低コストのＭＴＣＵＥを実現するために、送受信帯域幅の狭帯域化、アンテナポート数／ＲＦチェーン数の削減、送受信データ転送レートの低減、半二重周波数分割多重（Half-duplex Frequency Division Duplex）方式の採用、送受信電力の低減、間欠受信間隔の延長などが提案されている。また、低コストのＭＴＣＵＥを実現する方法として、ＭＴＣＵＥの送受信ＲＦ回路、送受信ベースバンド回路の最大帯域幅の低減（Reduction of maximum bandwidth）なども提案されている。【０００６】
また、アンテナポート数の削減などの影響による受信送信特性の低下を補償するため、１回のデータ送信に対して下りリンクデータまたは下りリンク信号を繰り返してＭＴＣＵＥに送信し、また、ＭＴＣＵＥは１回のデータ送信に対して上りリンクデータまたは上りリンク信号を繰り返して基地局装置に送信するようなことが考えられている。【０００７】
また、低コスト化の検討だけでなく、ＭＴＣＵＥの送受信範囲であるカバレッジの拡張（Coverage Enhancement、Coverage Improvement)も検討されている。例えば、従来では信号減衰が大きいために通信エリア外となっていた地下室などの空間に対して、カバレッジを拡張することが検討されている。カバレッジ拡張のために、基地局装置は、ＭＴＣＵＥに下りリンクデータまたは下りリンク信号を繰り返して送信し、また、ＭＴＣＵＥは、基地局装置に上りリンクデータまたは上りリンク信号を繰り返して送信することが考えられている（非特許文献２）。【０００８】
例えば、基地局装置は、物理報知チャネルＰＢＣＨを４０ｍｓ以内に複数回繰り返してＭＴＣＵＥに送信する。また、ランダムアクセス手順において、ＭＴＣＵＥが、同じランダムアクセスプリアンブルを物理ランダムアクセスチャネルＰＲＡＣＨの複数のリソースを使用して、繰り返して送信する。ランダムアクセスプリアンブルを受信した基地局装置は、ランダムアクセスレスポンスメッセージを繰り返し送信する。なお、基地局装置は、繰り返し回数（試行回数（attempt））をセル内のＭＴＣＵＥにシステム情報で通知したり、また、ＭＴＣＵＥに対して個別に通知したりする（非特許文献２）。
【先行技術文献】
【非特許文献】
【０００９】
【非特許文献１】3GPP TR(Technical Report)36.888、V12.0.0(2013-06)、Study on provision of low-cost Machine-Type Communications (MTC) User Equipments (UEs) based on LTE (release 12)
【非特許文献２】”Rel-12 agreements for MTC”, R1-143784, 3GPP TSG-RAN WG1 Meeting #78bis Ljubljana, Slovenia, 6th - 10th October 2014
【発明の概要】
【発明が解決しようとする課題】
【００１０】
カバレッジの拡張のために、繰り返し送信または繰り返し受信を行うことによって、アイドル状態から接続状態となるための手順に対して必要な時間が増加することが予想される。同様に、ハンドオーバーなどにより在圏セルを移動するための手順に対して必要な時間もまた、増加することが予想される。【００１１】
従来は、これらの手順に対する最大時間を設定するために、基地局装置から各手順の最大時間を示すタイマー情報が端末装置に通知されていた。しかしながら、これら従来のタイマー情報は、送受信の繰り返し回数によって手順の完了までに必要な時間が増加することについて考慮されておらず、従来のタイマー情報をカバレッジ拡張に対応した端末装置はそのまま使用することはできない。【００１２】
例えば、従来のタイマー情報をそのまま使用した場合、無線リソース制御（ＲＲＣ）手順の完了前にタイマーが満了してしまうため、無線リソース制御手順の失敗回数が増加し、不必要な干渉信号が増えてしまうという問題がある。また、無線リソース制御手順を繰り返し失敗することによって、端末装置の消費電力が増加するという別の問題がある。しかしながら、これらの問題についての具体的な解決策はまだ検討されていない。【００１３】
本発明は、このような事情に鑑みてなされたものであり、無線リソース制御手順を効率的に行うことが可能な端末装置、基地局装置、通信システム、通信方法および集積回路に関する技術を提供することによって、上記の課題の少なくとも１つを解決することを目的とする。
【課題を解決するための手段】
【００１４】
上記の目的を達成するために、以下のような手段を講じた。すなわち、本発明の実施形態における端末装置は、基地局装置と通信を行う端末装置であって、ターゲットセルの情報と、カバレッジレベルに関するランダムアクセス情報と、ハンドオーバーに関するタイマーとを含むハンドオーバーを指示するＲＲＣメッセージを前記基地局装置から受信した場合に、前記ハンドオーバーに関するタイマーを開始し、前記ターゲットセルの前記カバレッジレベルに関するランダムアクセス情報を用いて前記ターゲットセルに対してランダムアクセスを実行する。【００１５】
また、本発明の実施形態における端末装置は、ターゲットセルへのランダムアクセスに問題が発生した場合に前記ハンドオーバーに関するタイマーを停止する。【００１６】
また、本発明の実施形態における端末装置は、前記ハンドオーバーに関するタイマーの値として、レピティションを必要とするカバレッジレベルのセルに対応する第１のタイマーの値と、レピティションを必要としないカバレッジレベルのセルに対応する第２のタイマーの値とをサポートする。【００１７】
また、本発明の実施形態における基地局装置は、端末装置と通信を行う基地局装置であって、ターゲットセルのカバレッジレベルに関するランダムアクセス情報を用いたハンドオーバー手順を前記端末装置に実行させる場合、前記ターゲットセルの情報と、カバレッジレベルに関するランダムアクセス情報と、ハンドオーバーに関するタイマーとをハンドオーバーを指示するＲＲＣメッセージに含めて前記端末装置に送信し、前記ハンドオーバーに関するタイマーが、前記端末装置によって開始され、前記ターゲットセルの前記カバレッジレベルに関するランダムアクセス情報を用いて前記ターゲットセルに対してランダムアクセスが、前記端末装置によって実行される。【００１８】
また、本発明の実施形態における通信方法は、基地局装置と通信を行う端末装置の通信方法であって、ターゲットセルの情報と、カバレッジレベルに関するランダムアクセス情報と、ハンドオーバーに関するタイマーとを含むハンドオーバーを指示するＲＲＣメッセージを前記基地局装置から受信した場合に、前記ハンドオーバーに関するタイマーを開始するステップと、前記ターゲットセルの前記カバレッジレベルに関するランダムアクセス情報を用いて前記ターゲットセルに対してランダムアクセスを実行するステップとを少なくとも備える。【００１９】
また、本発明の実施形態における通信方法は、ターゲットセルへのランダムアクセスに問題が発生した場合に前記ハンドオーバーに関するタイマーを停止するステップを更に備える。【００２０】
また、本発明の実施形態における通信方法は、前記端末装置において、前記ハンドオーバーに関するタイマーの値として、レピティションを必要とするカバレッジレベルのセルに対応する第１のタイマーの値と、レピティションを必要としないカバレッジレベルのセルに対応する第２のタイマーの値とをサポートする。【００２１】
また、本発明の実施形態における通信方法は、端末装置と通信を行う基地局装置の通信方法であって、ターゲットセルのカバレッジレベルに関するランダムアクセス情報を用いたハンドオーバー手順を前記端末装置に実行させる場合、前記ターゲットセルの情報と、カバレッジレベルに関するランダムアクセス情報と、ハンドオーバーに関するタイマーとをハンドオーバーを指示するＲＲＣメッセージに含めて前記端末装置に送信するステップを備え、前記ハンドオーバーに関するタイマーが、前記端末装置によって開始され、前記ターゲットセルの前記カバレッジレベルに関するランダムアクセス情報を用いて前記ターゲットセルに対してランダムアクセスが、前記端末装置によって実行される。【００２２】
また、本発明の実施形態における集積回路は、基地局装置と通信を行う端末装置に実装される集積回路であって、ターゲットセルの情報と、カバレッジレベルに関するランダムアクセス情報と、ハンドオーバーに関するタイマーとを含むハンドオーバーを指示するＲＲＣメッセージを前記基地局装置から受信した場合に、前記ハンドオーバーに関するタイマーを開始する機能と、前記ターゲットセルの前記カバレッジレベルに関するランダムアクセス情報を用いて前記ターゲットセルに対してランダムアクセスを実行する機能を少なくとも発揮させる。【００２３】
また、本発明の実施形態における集積回路は、端末装置と通信を行う基地局装置に実装される集積回路であって、ターゲットセルのカバレッジレベルに関するランダムアクセス情報を用いたハンドオーバー手順を前記端末装置に実行させる場合、前記ターゲットセルの情報と、カバレッジレベルに関するランダムアクセス情報と、ハンドオーバーに関するタイマーとをハンドオーバーを指示するＲＲＣメッセージに含めて前記端末装置に送信する機能を発揮させ、前記ハンドオーバーに関するタイマーが、前記端末装置によって開始され、前記ターゲットセルの前記カバレッジレベルに関するランダムアクセス情報を用いて前記ターゲットセルに対してランダムアクセスが、前記端末装置によって実行される。【００２４】
本明細書では、無線リソース制御手順を効率的に行うことが可能な端末装置、基地局装置、通信システム、通信方法および集積回路に関する技術という点において各実施形態を開示するが、各実施形態に対して適用可能な通信方式は、ＥＵＴＲＡ（ＬＴＥ、ＬＴＥ−Ａ）で使用される通信方式に限定されるものではない。【００２５】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００２６】
本発明によれば、無線リソース制御手順を効率的に行うことが可能な端末装置、基地局装置、通信システム、通信方法および集積回路の技術を提供することができる。
【図面の簡単な説明】
【００２７】
【図１】本発明の実施形態に係る端末装置の構成の一例を示す図である。
【図２】本発明の実施形態に係る基地局装置の構成の一例を示す図である。
【図３】本発明の第１の実施形態に係る端末装置におけるＵＥタイマーの選択処理の一例を示すフローチャート図である。
【図４】本発明の第１の実施形態に係る端末装置におけるＵＥタイマーの開始処理の一例を示すフローチャート図である。
【図５】本発明の第１の実施形態に係る端末装置におけるＵＥタイマーの開始処理の別の一例を示すフローチャート図である。
【図６】本発明の第１の実施形態に係る端末装置におけるＲＲＣ手順の中止処理の一例を示すフローチャート図である。
【図７】本発明の第２の実施形態に係る端末装置におけるＵＥタイマーの開始処理の一例を示すフローチャート図である。
【図８】端末装置および基地局装置における制御データを扱うプロトコルスタックを示す図である。
【図９】端末装置および基地局装置におけるユーザデータを扱うプロトコルスタックを示す図である。
【発明を実施するための形態】
【００２８】
本発明の各実施形態に関わる技術について以下に簡単に説明する。
【００２９】
[チャネル／シグナル]
ＬＴＥ（ＥＵＴＲＡ）のチャネルは、論理チャネル、トランスポートチャネル、物理チャネルから構成されている。チャネルとは信号の送受信に用いられる媒体を意味し、論理チャネルは、媒体アクセス制御（ＭＡＣ：Medium Access Control）層で送受信されるデータ送信サービスの種類を定義する。トランスポートチャネルは、無線インターフェースで送信されるデータの特性と、そのデータがどのように送信されるのかについて定義する。
【００３０】
物理チャネルは、トランスポートチャネルによって物理層に転送されたデータを運ぶ物理的な媒体を意味する。本発明において、物理チャネルは、信号と同義的に使用され得る。なお、物理チャネルは、ＥＵＴＲＡ（ＬＴＥ、ＬＴＥ−Ａ）を発展させた通信システムにおいて、新規チャネルの追加、または、その構造（構成）やフォーマット形式が変更または追加される可能性があるが、そのような場合でも本発明の各実施形態の説明には影響しない。
【００３１】
ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３２】
ＥＵＴＲＡにおける下りリンクについて説明する。下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３３】
報知制御チャネルＢＣＣＨは、システム情報を報知する（broadcast）ために使用される論理チャネルである。ページング制御チャネルＰＣＣＨは、ページング情報を送信するために使用される論理チャネルであり、ネットワークが端末装置を呼び出すときや、システム情報の更新を通知する場合に使用される。共通制御チャネルＣＣＣＨは、端末装置とネットワーク間で制御情報を送信するために使用される論理チャネルであり、下りリンクにおいて、端末装置の状態がネットワークと無線リソース制御（ＲＲＣ：Radio ResourceControl）接続されている状態（ＲＲＣ接続状態、ＲＲＣ＿ＣＯＮＮＥＣＴＥＤ）に移行していない場合に、基地局装置によって使用される。
【００３４】
専用制御チャネルＤＣＣＨは、１対１（point-to-point）の双方向チャネルであり、端末装置とネットワーク間で個別（dedicated）の制御情報を送信するために使用される論理チャネルである。専用制御チャネルＤＣＣＨは、ＲＲＣ接続状態の端末装置と基地局装置との間において使用されうる。専用トラフィックチャネルＤＴＣＨは、１対１の双方向チャネルであり、ある一つの端末装置専用のチャネルであって、ユーザ情報（ユニキャストデータ）の転送（送信）のために使用される論理チャネルである。
【００３５】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００３６】
報知チャネルＢＣＨは、固定的かつ事前に定義された形式（Transport format）によって、セル全体に報知される。下りリンク共用チャネルＤＬ−ＳＣＨは、ＨＡＲＱ（HybridAutomatic Repeat Request：ハイブリッド自動再送要求）、動的適応変調（link adaptation）制御、動的または準静的なリソース割り当て、間欠受信（ＤＲＸ：Discontinuous Reception）がサポートされる。また、ページングチャネルＰＣＨは、セル全体に報知される、間欠受信をサポートする。
【００３７】
ＥＵＴＲＡの下りリンクの物理チャネルと物理シグナルについて説明する。
【００３８】
同期シグナル（Synchronization Signals）は、３種類のプライマリ同期シグナル（ＰＳＳ）と、周波数領域で互い違いに配置される３１種類の符号から構成されるセカンダリ同期シグナル（ＳＳＳ）とで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３９】
下りリンクリファレンスシグナルは、その用途によって複数のタイプに分類される。例えば、セル固有ＲＳ（CRS: Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定することができる。また、端末装置は、セル固有ＲＳと一緒に送信される物理下りリンク制御チャネル、または物理下りリンク共用チャネルの復調のための参照用の信号としてもセル固有ＲＳを使用することができる。
【００４０】
セル固有ＲＳに使用される系列は、セル毎に識別可能な系列が用いられる。セル固有ＲＳは、基地局装置より全ての下りリンクサブフレームで送信されてもよいし、基地局装置によって指定された下りリンクサブフレームでのみ送信されてもよい。また、端末装置は、セル固有ＲＳを全ての下りリンクサブフレームで受信してもよいし、基地局装置によって指定された下りリンクサブフレームでのみ受信してもよい。
【００４１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ、ＣＳＩ参照信号）と称する。また、ＣＳＩ参照信号は、実際には信号の送信されない、または、ゼロパワーで送信されてもよい。一方、実際に信号が送信されるＣＳＩ参照信号は、非ゼロパワーＣＳＩ参照信号（NZP CSI-RS: Non Zero Power Channel State Information Reference Signals）と称してもよい。また、干渉成分を測定するために用いられる下りリンクの無線リソースの事をチャネル状態情報干渉測定リソース（CSI-IMR: Channel State Information - Interference Measurement Resource）あるいはＣＳＩ−ＩＭリソースと称してもよい。
【００４２】
また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）と称され、物理下りリンク制御チャネル、拡張物理下りリンク制御チャネル、または物理下りリンク共用チャネルを復調するときのチャネルの伝搬路補償処理のために参照される。
【００４３】
物理報知チャネル（PBCH; Physical Broadcast Channel）は、セル内の端末装置で共通に用いられるマスターインフォメーションブロック（MIB; Master information block）を通知（設定）する目的で送信される。基地局装置は、物理報知チャネルによってＭＩＢを含むマスターインフォメーションブロックメッセージを通知（送信）する。マスターインフォメーションブロックメッセージで端末装置に通知（設定）される情報、すなわちＭＩＢで通知される情報は、下りリンク周波数帯域幅、システムフレームナンバー、およびＨｙｂｒｉｄ  ＡＲＱに関する物理チャネル（ＰＨＩＣＨ）の設定情報（configuration）などである。
【００４４】
基地局装置は、サブフレーム位置と周期が静的に定まる（pre-defined）システムインフォメーションブロック  タイプ１（SIB1; System information block Type1）メッセージと、システムインフォメーションブロック  タイプ１で指定されるシステムインフォメーションウィンドウ（ＳＩ−ｗｉｎｄｏｗ）内で動的にスケジューリングされるその他のタイプのシステムインフォメーションメッセージ（例えば、システムインフォメーションブロック  タイプ２〜タイプｎ（ｎは自然数））と、を用いてマスターインフォメーションブロック以外のセル共通情報を端末装置に送信する。
【００４５】
ここで、マスターインフォメーションブロックメッセージ、システムインフォメーションブロック  タイプ１メッセージ、システムインフォメーションメッセージは、それぞれレイヤ３メッセージ（ＲＲＣメッセージ）である。なお、本明細書において、システム情報（報知情報）とは、これらのＲＲＣメッセージのことを、または、マスターインフォメーションブロックと各システムインフォメーションブロックで通知される情報（情報要素）のことを意味している場合がある。
【００４６】
システムインフォメーションメッセージは、物理下りリンク制御チャネルで示される無線リソースにおいて物理下りリンク共用チャネルを用いて通知され、その用途に応じて分類されたシステム情報（システムインフォメーションブロック  タイプ２〜タイプｎ（ＳＩＢ２〜ＳＩＢｎ（ｎは自然数）））の一つを対応するシステムインフォメーションウィンドウ内で送信する。
【００４７】
システム情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定（共通ランダムアクセス設定）情報、タイミング調整情報、セル毎の共通無線リソース設定情報、同周波数（異周波数、異ＲＡＴ）の周辺セルリスト情報（Neighboring cell list）、上りリンクアクセス制限情報などが通知される。
【００４８】
物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する制御情報などを通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４９】
端末装置は、レイヤ２メッセージ（ＭＡＣ−ＣＥ）およびレイヤ３メッセージ（ページング、システムインフォメーションなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメントとも称する）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００５０】
物理下りリンク共用チャネル（PDSCH; Physical Downlink Shared Channel）は、下りリンクデータの他、ページングやシステムインフォメーションなどのレイヤ３メッセージを端末装置に通知するためにも使用される。物理下りリンク共用チャネルの無線リソース割り当て情報は、物理下りリンク制御チャネルで示される（通知される）。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重される。
【００５１】
報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００５２】
また、下りリンクにおいて、ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００５３】
次に、ＥＵＴＲＡにおける上りリンクについて説明する。上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００５４】
共通制御チャネルＣＣＣＨは、端末装置とネットワーク間の制御情報を送信するために使用される論理チャネルであり、上りリンクにおいて、端末装置の状態がネットワークと無線リソース制御（ＲＲＣ：Radio Resource Control）接続されている状態（ＲＲＣ接続状態、ＲＲＣ＿ＣＯＮＮＥＣＴＥＤ）に移行していない場合（すなわち、ＲＲＣアイドル状態、ＲＲＣ＿ＩＤＬＥ）に、端末装置によって使用される。
【００５５】
専用制御チャネルＤＣＣＨは、１対１（point-to-point）の双方向チャネルであり、端末装置とネットワーク間で個別の制御情報を送信するために使用される論理チャネルである。専用制御チャネルＤＣＣＨは、ＲＲＣ接続状態の端末装置と基地局装置との間において使用されうる。専用トラフィックチャネルＤＴＣＨは、１対１の双方向チャネルであり、１つの端末装置専用のチャネルであって、ユーザ情報（ユニキャストデータ）の転送のために使用される論理チャネルである。
【００５６】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００５７】
上りリンク共用チャネルＵＬ−ＳＣＨでは、ＨＡＲＱ（Hybrid Automatic Repeat Request：ハイブリッド自動再送要求）、動的適応変調制御、動的または準静的なリソース割り当て、間欠送信（ＤＴＸ：Discontinuous Transmission）がサポートされる。ランダムアクセスチャネルＲＡＣＨでは、限定的な（limited）制御情報が送信される。
【００５８】
ＥＵＴＲＡの上りリンクの物理チャネルと物理シグナルについて説明する。
【００５９】
物理上りリンク制御チャネル（PUCCH; Physical Uplink Control Channel）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００６０】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００６１】
物理上りリンク共用チャネル（PUSCH; Physical Uplink Shared Channel）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００６２】
上りリンクリファレンスシグナル（上りリンク参照信号；Uplink Reference Signal（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（DMRS; Demodulation ReferenceSignal）と、基地局装置が、主に、上りリンクのチャネル状態を推定するために使用するサウンディング参照信号（SRS; Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００６３】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００６４】
端末装置は、物理上りリンク制御チャネル未設定時の上りリンクの無線リソース要求のため、または、上りリンク送信タイミングを基地局装置の受信タイミングウィンドウに合わせるために必要なタイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００６５】
上りリンクにおいて、共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００６６】
上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００６７】
なお、それ以外の物理チャネルまたは物理シグナルは、本発明の各実施形態と強く関わらないため詳細な説明は省略する。説明を省略した物理チャネルまたは物理シグナルとして、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、物理ＨＡＲＱ指示チャネル（ＰＨＩＣＨ：Ｐｈｙｓｉｃａｌ  Ｈｙｂｒｉｄ  ＡＲＱ  Ｉｎｄｉｃａｔｏｒ  ＣＨａｎｎｅｌ）、物理マルチキャストチャネル（ＰＭＣＨ：Ｐｈｙｓｉｃａｌ  Ｍｕｌｔｉｃａｓｔ  ＣＨａｎｎｅｌ）などがある。
【００６８】
また、端末装置間の直接通信（Device to Device, D2D）用の論理チャネル、トランスポートチャネル、物理チャネル、または物理シグナル（これらをまとめてサイドリンクチャネルとも称する）もまたＥＵＴＲＡにおいて用いられるが、これらについても説明も省略する。
【００６９】
[プロトコルスタック]
図８に示すように、端末装置および基地局装置の制御データを扱うプロトコルスタック（Protocol stack）は、物理（ＰＨＹ）層、ＭＡＣ層、ＲＬＣ層、ＰＤＣＰ層、ＲＲＣ層に少なくとも分類される。また、図９に示すように、端末装置および基地局装置のユーザデータを扱うプロトコルスタックは、物理（ＰＨＹ）層、ＭＡＣ層、ＲＬＣ層、ＰＤＣＰ層に少なくとも分類される。端末装置、および／または、基地局装置は、各階層の機能／役割を実行するエンティティー（entity）をそれぞれの階層に持つ。
【００７０】
図８および図９の各層の順番は、レイヤ間の上位／下位を示す。例えば、ＲＲＣ層はＰＤＣＰ層、ＲＬＣ層、ＭＡＣ層、ＰＨＹ層の上位レイヤである。また、ＭＡＣ層はＲＲＣ層、ＰＤＣＰ層、ＲＬＣ層の下位レイヤであり、かつ、ＰＨＹ層の上位レイヤである。
【００７１】
物理層（Physical layer：ＰＨＹ層）は、物理チャネル（Physical Channel）を利用して上位レイヤに伝送サービスを提供する。ＰＨＹ層は、媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。端末装置と基地局装置の物理層間において、物理チャネルを介してデータの送受信が行われる。
【００７２】
ＭＡＣ層は、無線リンク制御層（Radio Link Control layer：ＲＬＣ層）と論理チャネルで接続される。論理チャネルは、伝送される情報の種類によって区別されており、制御情報を伝送する制御チャネルと、ユーザ情報を伝送するトラフィックチャネルに分けられる。
【００７３】
ＭＡＣ層における機能は、論理チャネルとトランスポートチャネル間のマッピング、間欠受信（ＤＲＸ）と間欠送信（ＤＴＸ）を実行するためのＰＨＹ層の制御、送信電力の情報の通知、ＨＡＲＱ（誤り訂正）制御、ダイナミックスケジューリングによる端末装置間の優先度のハンドリング、論理チャネルの優先度のハンドリング、送信フォーマット選択、などである。これらＭＡＣ層の機能は、ＭＡＣエンティティーによって実行される。
【００７４】
ＲＬＣ層の機能は、上位レイヤから受信したデータ（Ｐｒｏｔｏｃｏｌ  Ｄａｔａ  Ｕｎｉｔ：ＰＤＵ）の転送、ＡＲＱ（誤り訂正）機能、ＲＬＣデータの分割（Segmentation）および連結(Concatenation)、ＰＤＵの再分割（re-segmentation）、ＰＤＵ順番の再配置（re-ordering）、データの重複検出、プロトコルエラー検出、ＲＬＣデータの破棄、などである。これらＲＬＣ層の機能は、ＲＬＣエンティティーによって実行される。
【００７５】
パケットデータコンバージェンスプロトコル層（Packet Data Convergence Protocol layer：ＰＤＣＰ層）の機能は、ユーザデータまたは制御データの転送、ユーザデータであるＩＰパケットを無線区間で効率的に伝送するためのヘッダ圧縮、シーケンス番号の管理、ユーザデータまたは制御データの秘匿および秘匿解除、制御データの改ざん防止（integrity protection）、データの重複検出と破棄、などである。これらＰＤＣＰ層の機能は、ＰＤＣＰエンティティーによって実行される。
【００７６】
無線リソース制御層（Radio Resource Control layer：ＲＲＣ層）では、制御情報のみが定義される。ＲＲＣ層の機能は、システム情報の報知（ＮＡＳ共通情報、セル選択パラメータ、周辺セル情報、共通チャネル設定、ＥＴＷＳ（Earthquake Tsunami Warning System）／ＣＭＡＳ（Commercial Mobile Alert System）を含む）、ＲＲＣ接続制御（ページング、ＲＲＣ接続の確立／変更／リリース、改ざん防止設定、秘匿設定、移動性（mobility）制御、無線ベアラ（Radio Bearer：ＲＢ）の設定／変更／リリース、無線設定制御（ＡＲＱ設定、ＨＡＲＱ設定、ＤＲＸ設定などの割り当て／変更）、セカンダリセルの追加／変更／リリース、ＱｏＳ制御、無線リンク障害（Radio link failure）からの復帰）、などである。
【００７７】
また、ＲＲＣ層の機能は、ＲＡＴ間（inter-RAT）モビリティ、一般的なプロトコルエラーハンドリング、測定設定と報告、ログの保存と報告、なども含む。
【００７８】
ＲＢは、シグナリング無線ベアラ（Signaling Radio Bearer：ＳＲＢ）とデータ無線ベアラ（Data Radio Bearer：ＤＲＢ）の２種類のＲＢがある。ＳＲＢは、制御情報であるレイヤ３メッセージを送信する経路として利用される。ＤＲＢは、ユーザ情報を送信する経路として利用される。基地局装置と端末装置のＲＲＣエンティティー間で各ＲＢの設定（追加、変更、リリース）が行われる。
【００７９】
レイヤ３メッセージは、端末装置と基地局装置のＲＲＣ（無線リソース制御）エンティティー間でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００８０】
[ランダムアクセス手順]
ランダムアクセス手順には、Contention based Random Access手順（競合ベースランダムアクセス手順）とNon-contention based Random Access手順（非競合ベースランダムアクセス手順）の２つのアクセス手順がある。ランダムアクセス手順は、端末装置のＭＡＣエンティティーが実行する。
【００８１】
Contention based Random Access手順は、端末装置間でリソースの競合（衝突）が発生する可能性のあるランダムアクセスであり、Contention based Random Access手順は、基地局装置と接続（通信）していない状態からの初期アクセスや基地局装置と接続中であるが、上りリンク同期が外れている状態で端末装置に上りリンクデータ送信が発生した場合のスケジューリングリクエストなどに用いられる。
【００８２】
Non-contention based Random Access手順は、端末装置間でリソースの競合が発生しないランダムアクセスであり、ハンドオーバーや端末装置の送信タイミングが有効でない場合などに用いられ、基地局装置からの指示に基づいて端末装置がランダムアクセスを開始する。
【００８３】
Contention based Random Access手順は、まず、端末装置がプリアンブルグループからランダムアクセスプリアンブル（プリアンブルＩＤ）をランダムに一つ選択し、選択したプリアンブルを基地局装置に送信する。ランダムアクセスプリアンブルを受信した基地局装置は、ランダムアクセスプリアンブルに対する応答（ランダムアクセスレスポンス）を端末装置に送信する。端末装置は、ランダムアクセスレスポンスに含まれているスケジューリング情報を元に上位レイヤのメッセージを送信する。基地局装置は、上位レイヤメッセージを受信できた端末装置に競合解決（コンテンションレゾリューション）を送信する。
【００８４】
Non-contention based Random Access手順は、まず、基地局装置がプリアンブルＩＤ（または、シーケンス番号）と使用するランダムアクセスチャネル番号を端末装置に個別に通知する。端末装置は、指定されたプリアンブルＩＤのランダムアクセスプリアンブルを送信する。そして、ランダムアクセスプリアンブルを受信した基地局装置が、ランダムアクセスプリアンブルに対する応答（ランダムアクセスレスポンス）を端末装置に送信する。ただし、基地局装置から通知されたプリアンブルＩＤの値が「０（ゼロ）」を示す場合、端末装置は、Contention based Random Access手順を行なう。
【００８５】
基地局装置は、端末装置から送信されたランダムアクセスプリアンブルを検出すると、ランダムアクセスプリアンブルから端末装置と基地局装置との間の送信タイミングのずれ量を算出し、端末装置に対して一つのＴｅｍｐｏｒａｒｙ  Ｃ−ＲＮＴＩ（Cell-Radio Network Temporary Identity）を割り当て、ランダムアクセスプリアンブルに対応するＲＡ−ＲＮＴＩ（Random Access-Radio Network Temporary Identity）を物理下りリンク制御チャネルＰＤＣＣＨに配置し、送信タイミング情報、スケジューリング情報、Ｔｅｍｐｏｒａｒｙ  Ｃ−ＲＮＴＩ、および受信したランダムアクセスプリアンブルの情報（プリアンブルＩＤ）を含んだランダムアクセスレスポンスを物理下りリンク共用チャネルＰＤＳＣＨを用いて送信する。
【００８６】
端末装置は、モニタした物理下りリンク制御チャネルＰＤＣＣＨから対応するＲＡ−ＲＮＴＩを検出すると、ＰＤＣＣＨのスケジューリング情報に基づいて対応する物理下りリンク共用チャネルＰＤＳＣＨ（すなわち、ランダムアクセスレスポンス）を受信する。ランダムアクセスレスポンスに端末装置が送信したプリアンブルＩＤの情報が含まれている場合、端末装置は、ランダムアクセスレスポンスに含まれる送信タイミング情報から上りリンクの送信タイミングを調整し、また、ランダムアクセスレスポンスのスケジューリング情報が示す無線リソースと送信フォーマットでＣ−ＲＮＴＩ（またはTemporary C-RNTIとコンテンションレゾリューションＩＤ（Contention Resolution Identity））など、端末装置を識別する情報を含んだメッセージを送信する（メッセージ３とも称する）。
【００８７】
基地局装置は、端末装置から送信されたメッセージ（メッセージ３）を受信し、受信したメッセージに含まれるＣ−ＲＮＴＩ（またはTemporary C-RNTIとContention Resolution Identity）を使用して端末装置間で競合（衝突）が起こっているかどうか判断するための競合解決（コンテンションレゾリューション）として、Ｃ−ＲＮＴＩ（またはTemporary C-RNTIとコンテンションレゾリューションＩＤ）を用いた下りリンクデータを端末装置に送信する。端末装置は、Ｃ−ＲＮＴＩを含むＰＤＣＣＨ（または、コンテンションレゾリューションＩＤを含むＤＬ−ＳＣＨ）を正しく受信できた場合、Contention based Random Access手順が成功したと判断してよい。
【００８８】
[Coverage enhancement]
カバレッジの拡張に対応した（カバレッジ拡張をサポートする）端末装置（ＭＴＣＵＥ）は、基地局装置へのある送信に対し、複数サブフレームにわたる複数回の送信の繰り返しを行うことによって上りリンクのカバレッジを拡張する。また、カバレッジの拡張に対応した端末装置（ＭＴＣＵＥ）は、基地局装置からのある受信に対し、複数サブフレームにわたる複数回の受信の繰り返しを行うことで上りリンクのカバレッジを拡張する。
【００８９】
すなわち、基地局装置と端末装置は、カバレッジの拡張に伴う信号の減衰を補償するために、複数サブフレームにわたり信号を合成して受信することによって受信品質を向上させる。
【００９０】
例えば、基地局装置は、上りリンクの送信繰り返し回数または下りリンクの受信繰り返し回数、またはその両方に適用される繰り返し回数をシステム情報で通知してもよい。また、端末装置（ＭＴＣＵＥ）は、ランダムアクセスプリアンブルを送信する場合に、システム情報と測定品質のいずれかまたは両方に基づいて、複数種類の送信繰り返し回数から１つの送信繰り返し回数を選択してもよい。
【００９１】
なお、物理下りリンク制御チャネルＰＤＣＣＨ、拡張物理下りリンク制御チャネルＥＰＤＣＣＨ、物理上りリンク制御チャネルＰＵＣＣＨおよび物理ランダムアクセスチャネルＰＲＡＣＨに対する繰り返し制御のことをレピティション(repetition)と呼称してもよく、物理下りリンク共用チャネルＰＤＳＣＨおよび物理上りリンク共用チャネルＰＵＳＣＨに対する繰り返し制御をバンドリング（bundling）と呼称してもよい。
【００９２】
バンドリングが設定されるとき、バンドルサイズが一つのバンドルのサブフレーム数を定義する。バンドリングオペレーション（処理）は同じバンドルを構成するそれぞれの送信に対する同じＨＡＲＱプロセスを発動するＨＡＲＱエンティティーに頼る。一つのバンドル内で、ＨＡＲＱ再送は、ノンアダプティブ（non-adaptive）であり、バンドルサイズに応じて、前回の送信からのフィードバックを待つことなしにトリガーされる。一つのバンドルのＨＡＲＱフィードバックは、バンドルの最後のサブフレームに対してのみ端末装置によって受信（ＰＵＳＣＨ用のＨＡＲＱ−ＡＣＫ）または送信（ＰＤＳＣＨ用のＨＡＲＱ−ＡＣＫ）される。バンドリング処理は、ＭＡＣエンティティーで行われる。
【００９３】
基地局装置は、レピティションレベル（Repetition Level）またはバンドリングサイズ（Bundling Size）にそれぞれに対応した複数の繰り返し回数（繰り返し設定）を設定するようにしてもよい。例えば、レピティションレベル（バンドリングサイズ）が１の場合の繰り返し回数が８回、レピティションレベルが２の場合の繰り返し回数が１６回、レピティションレベルが３の場合の繰り返し回数が３２回であると設定（通知）されてもよい。基地局装置は、送信データの大きさに基づいて異なる値（繰り返し回数）を設定してもよい。基地局装置は、物理チャネルごとに異なる値（繰り返し回数）を設定してもよい。また、基地局装置は、論理チャネル、または、論理チャネルグループごとに異なる値（繰り返し回数）を設定してもよい。基地局装置は、端末装置に対し、レピティションレベルまたはバンドリングサイズの情報を、個別のＲＲＣメッセージを用いて通知するようにしてもよい。
【００９４】
報知されるシステム情報は、周期的に再送される。システム情報の送信において、ＭＡＣエンティティーにてＨＡＲＱ再送処理が行われる。物理下りリンク制御チャネルＰＤＣＣＨの受信、拡張物理制御チャネルＥＰＤＣＣＨの受信、物理上りリンク制御チャネルＰＵＣＣＨの送信および物理ランダムアクセスチャネルＰＲＡＣＨ（またはランダムアクセスプリアンブル）の送信に対する繰り返し制御は、ＰＨＹ層で行われる。
【００９５】
また、ＭＴＣＵＥのために専用の物理下りリンク制御チャネル（ＭＰＤＣＣＨ）が定義されてもよい。この場合、ＰＤＣＣＨ、および／または、ＥＰＤＣＣＨのＭＴＣＵＥに対する一部あるいはすべての役割をＭＰＤＣＣＨが果たしてもよい。
【００９６】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００９７】
＜第１の実施形態＞
本発明の第１の実施形態について以下に説明する。
【００９８】
図１は、本発明の第１の実施形態における端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０、送信アンテナＴ０１、受信アンテナＲ０１から少なくとも構成される。図中の「〜部」とは、セクション、回路、構成装置、デバイス、ユニットなど用語によっても表現される、端末装置１の機能および各手順を実現する要素である。
【００９９】
なお、カバレッジの拡張に対応した（カバレッジ拡張をサポートする）端末装置１のことを、以後、単に端末装置１と略して説明する場合がある。また、端末装置１は、２つまたは３つのタイプに分けられてもよい。第１のタイプの端末装置は、従来のカテゴリーの一つに分類される端末であり、低コストのＭＴＣ専用の端末装置であってもよいし、ＭＴＣ専用の端末装置でなくてもよい。
【０１００】
なお、従来のカテゴリーは、下りリンクカテゴリーと上りリンクカテゴリーとの組み合わせから構成されてもよい。例えば、端末装置１は、必要なバッファサイズなどで分類された複数の下りリンクカテゴリーと上りリンクカテゴリーのうち、ある一つの下りリンクカテゴリーとある一つの上りリンクカテゴリーとの組み合わせによって、端末装置１が属するカテゴリーを示してもよい。
【０１０１】
第２のタイプの端末装置は、少なくとも下りリンクでサポートされるシステム帯域幅に制限を持つ端末装置１、すなわち、２０ＭＨｚ未満（例えば１．４ＭＨｚ）のシステム帯域幅をサポートする端末装置１である。第２のタイプの端末装置は、あるレピティションレベル（バンドリングサイズ）のカバレッジ拡張に対応する端末装置１を含んでもよい。例えば、レピティションレベルが１のカバレッジ拡張にのみ対応する端末装置１が第２のタイプとして分類されてもよい。第２のタイプの端末装置は、第１のタイプの端末装置で示されたカテゴリー以外のカテゴリー（例えばカテゴリーＸ）に分類されてもよい。
【０１０２】
ここで、「カバレッジ拡張に対応する端末装置（カバレッジ拡張をサポートする端末装置）」とは、システム、仕様、あるいは基地局装置２から通知された所定のルール（規則、設定（情報要素））に従い、繰り返し送信処理、および／または、繰り返し受信処理が少なくとも可能な端末装置１のことを示し、実際にカバレッジが拡張されているかどうかは、問われない。すなわち、かかる端末装置１は、繰り返し送信処理、および／または、繰り返し受信処理のために新たに追加される種々の機能（例えば、測定手順、セル選択手順、セル再選択手順、同期手順、ページング手順、システム情報取得手順、ＲＲＣ接続手順、ハンドオーバー手順、ランダムアクセス手順などの各種手順（機能）の一部または全て）をサポートしている。
【０１０３】
同様に、「カバレッジ拡張に対応する基地局装置（カバレッジ拡張をサポートする基地局装置（セル）」とは、システム、仕様、あるいはオペレーターや基地局装置２間で定めた所定のルール（規則、設定（情報要素））に従い、繰り返し送信処理、および／または、繰り返し受信処理が少なくとも可能な基地局装置２（セル）のことを示し、実際にカバレッジが拡張されているかどうかは、問われない。また、かかる基地局装置２（セル）は、繰り返し送信処理、および／または、繰り返し受信処理のために端末装置１に新たに追加される種々の機能（例えば、測定手順、セル選択手順、セル再選択手順、同期手順、ページング手順、システム情報取得手順、ＲＲＣ接続手順、ハンドオーバー手順、ランダムアクセス手順などの各種手順（機能）の一部または全て）をサポートしている。
【０１０４】
第３のタイプの端末装置は、全てのレピティションレベル（バンドリングサイズ）のカバレッジ拡張をサポートする端末装置１である。第３のタイプの端末装置は、第１のタイプおよび第２のタイプの端末装置で示されたカテゴリー以外のカテゴリー（例えばカテゴリーＹ）に分類されてもよい。すなわち、第２のタイプの端末装置でサポートされる最大繰り返し回数は、第３のタイプの端末装置よりも少なくてもよい。それぞれのタイプでサポートする機能が異なり、その用途は、ＭＴＣ（ＭＴＣサービス）に限られたものでなくてもよい。すなわち、本明細書においてＭＴＣＵＥと表記された場合であっても、その用途はＭＴＣに限定したものではない。
【０１０５】
無線リソース制御部１１０は、端末装置１の無線リソース制御を執り行うＲＲＣエンティティーの各機能を実行する。また、受信データ制御部１０４と送信データ制御部１０６は、データリンク層（レイヤ２）のＭＡＣエンティティー、ＲＬＣエンティティー、ＰＤＣＰエンティティーにおける各機能を実行する。
【０１０６】
ここで、ＭＡＣエンティティーは、各論理チャネルに対応する送信バッファのデータ量を通知する機能（バッファステータスレポート（Buffer Status Report：ＢＳＲ））、上りリンクデータを送信するための無線リソース要求を行う機能（スケジューリングリクエスト（Scheduling Request））を持っている。ＭＡＣエンティティーは、ＭＡＣエンティティーの上位レイヤに送信データが存在する場合であって、端末装置１に上りリンクリソースが割り当てられていない場合（例えば初期アクセス時）、スケジューリングリクエストためにランダムアクセス手順を実行する。
【０１０７】
また、ＭＡＣエンティティーは、複数セルを用いて通信するキャリアアグリゲーションを行う場合、セルのアクティベーション／デアクティベーションを行うための物理層の制御、および、上りリンクの送信タイミングを管理するための物理層の制御を行う。
【０１０８】
なお、端末装置１は、複数の周波数（周波数帯、周波数帯域幅）または、ある一つのセルの同一サブフレーム内において、受信処理と送信処理を同時に（simultaneously／concurrently）行うために、受信系のブロック（受信部１０１、復調部１０２、復号部１０３、受信アンテナＲ０１）、および複数の周波数（周波数帯、周波数帯域幅）、および送信系のブロック（符号部１０７、変調部１０８、送信部１０９、送信アンテナＴ０１）の一部あるいはすべてを複数備える構成であってもよい。
【０１０９】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【０１１０】
物理レイヤ制御情報は、基地局装置２から端末装置１に対して個別（ｄｅｄｉｃａｔｅｄ）に送信される無線リソース接続設定、セル固有のシステム情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【０１１１】
受信制御情報は、下りリンクスケジューリング情報として、受信周波数帯域の情報、物理チャネルと物理シグナルに関する受信タイミング、多重方法、無線リソース制御情報、などの情報が含まれてもよい。また、受信データ制御情報は、セカンダリセル不活性化タイマー情報、ＤＲＸ制御情報、マルチキャストデータ受信情報、下りリンク再送制御情報、繰り返し受信に関する制御情報などを含む下りリンクの制御情報であり、ＭＡＣ層、ＲＬＣ層、ＰＤＣＰ層におけるそれぞれの下りリンクに関する制御情報が含まれている。
【０１１２】
受信信号は、受信アンテナＲ０１を経由して受信部１０１において受信される。受信部１０１は、受信制御情報で通知された周波数と周波数帯域に従って基地局装置２（または端末装置１を含むその他のノード）からの信号を受信する。受信された信号は復調部１０２へと入力される。復調部１０２は信号の復調を行う。復調部１０２は、復号部１０３へと復調後の信号を入力する。
【０１１３】
復号部１０３は、入力された信号を復号し、復号された各データ（下りリンクデータと下りリンク制御データ、下りリンクトランスポートブロック（ＴＢ）、下りリンクプロトコルデータユニット（ＰＤＵ）とも称す）を受信データ制御部１０４へと入力する。また、各データと共に基地局装置２から送信されたＭＡＣ制御要素（ＭＡＣ−ＣＥ）も復号部１０３で復号され、関係するデータは受信データ制御部１０４へと入力される。
【０１１４】
受信データ制御部１０４は、受信したＭＡＣ制御要素に基づく物理レイヤ制御部１０５の制御（例えば、セルの活性化／不活性化、ＤＲＸ制御、送信タイミング調整など）や、復号された各データをバッファリングし、再送されたデータの誤り訂正制御（ＨＡＲＱ）を行う。受信データ制御部１０４へ入力された各データのうち、関係するデータは無線リソース制御部１１０へと入力（転送）される。
【０１１５】
また、受信データ制御部１０４は、受信部１０１などで受信された同期シグナルの受信タイミングから、端末装置１の受信タイミング（フレーム同期、サブフレーム同期、シンボル同期など）を調整する。受信タイミングは、物理レイヤ制御部１０５において管理され受信部１０１または送信部１０９にフィードバックされることによって、下りリンク同期、および／または上りリンク同期が適宜調整される。
【０１１６】
また、受信データ制御部１０４は、既知の系列の信号である下りリンクリファレンスシグナルの受信品質（ＲＳＲＰ、ＲＳＳＩ、ＲＳＲＱなど）を測定し、無線リソース制御部１１０に報告してもよい。受信品質の測定期間は、繰り返し設定に基づいて設定されてもよいし、基地局装置２からＲＲＣメッセージによって通知または報知されてもよい。無線リソース制御部１１０は、報告された受信品質に基づいてカバレッジ拡張における送信の繰り返し回数を決定してもよい。
【０１１７】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。
【０１１８】
送信制御情報は、上りリンクスケジューリング情報として、符号化情報、変調情報、送信周波数帯域の情報、物理チャネルと物理シグナルに関するタイミング情報（またはＴＡ）、多重方法、無線リソース配置情報などの情報が含まれている。
【０１１９】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、バッファステータスレポート、繰り返し送信に関する制御情報などを含む上りリンクの制御情報である。無線リソース制御部１１０は、複数のセルにそれぞれ対応した複数のランダムアクセス設定情報を送信データ制御部１０６に設定してもよい。
【０１２０】
また、無線リソース制御部１１０は、上りリンク送信タイミングの調整に用いるタイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。タイミング調整情報と送信タイミングタイマーは、送信データ制御情報に含まれる。
【０１２１】
なお、複数の上りリンク送信タイミングの状態を管理する必要がある場合、送信データ制御部１０６は、複数のそれぞれのセル（またはセルグループ、ＴＡグループ）の上りリンク送信タイミングに対応するタイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１２２】
端末装置１で生起した送信データ（上りリンクデータと上りリンク制御データ、上りリンクトランスポートブロック（ＴＢ）、上りリンクプロトコルデータユニット（ＰＤＵ）とも称す）は、無線リソース制御部１１０（または、非アクセス層レイヤ部（図示せず）などの上位レイヤ部）より任意のタイミングで送信データ制御部１０６に入力される。なお、送信データは、各レイヤにおいて、それぞれ、ＲＲＣ  ＰＤＵ、ＰＤＣＰ  ＰＤＵ、ＲＬＣ  ＰＤＵ、ＭＡＣ  ＰＤＵという単位（ユニット）で処理される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１２３】
また、送信データ制御部１０６は、送信データが入力されたときに、送信データ制御部１０６内の上りリンクバッファ（図示せず）に送信データを格納する。また、送信データ制御部１０６は、上りリンクバッファに格納された送信データの優先度などに基づき、多重化およびアセンブルを行ない、ＭＡＣ  ＰＤＵを生成する。そして、送信データ制御部１０６は、入力された送信データの送信に必要な無線リソースが端末装置１に対して割り当てられているかを判断する。
【０１２４】
送信データ制御部１０６は、無線リソース割り当てに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。
【０１２５】
ここで、送信データ制御部１０６は、入力された送信データに基づいてバッファステータスレポートを生成する。換言すれば、送信データ制御部１０６は、ＭＡＣ制御要素として、通常の送信データのバッファ量に基づくバッファステータスレポートを生成する。
【０１２６】
また、送信データ制御部１０６は、無線リソース制御部１１０から入力される繰り返し設定に基づき、自端末装置の送信の繰り返し回数を設定してもよい。繰り返し回数は物理チャネル単位、または、論理チャネル（論理チャネルグループ）単位で設定されてもよい。
【０１２７】
また、符号部１０７は、送信制御情報に従って各データを適切に符号化し、変調部１０８へと入力する。変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）のタイミング調整情報に従って上りリンク送信タイミングを調整し、送信アンテナＴ０１を経由して信号を送信する。
【０１２８】
上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１２９】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位レイヤには、コアネットワークとの制御を執り行う非アクセス層（Ｎｏｎ  Ａｃｃｅｓｓ  Ｓｔｒａｔｕｍ（ＮＡＳ））レイヤ部や、アプリケーションレイヤ部が存在している。
【０１３０】
図２は、本発明の第１の実施形態による基地局装置２の一例を示すブロック図である。本基地局装置は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１、送信アンテナＴ０２、受信アンテナＲ０２から少なくとも構成される。図中の「〜部」とは、セクション、回路、構成装置、デバイス、ユニットなど用語によっても表現される、基地局装置２の機能および各手順を実現する要素である。
【０１３１】
無線リソース制御部２１０は、基地局装置２の無線リソース制御を執り行うＲＲＣエンティティーの各機能を実行する。また、受信データ制御部２０４と送信データ制御部２０６は、データリンク層（レイヤ２）のＭＡＣエンティティー、ＲＬＣエンティティー、ＰＤＣＰエンティティーにおける各機能を実行する。
【０１３２】
なお、基地局装置２は、キャリアアグリゲーションなどによる複数の周波数（周波数帯、周波数帯域幅）またはセルの同一サブフレーム内での送受信処理をサポートするために受信系のブロック（受信部２０１、復調部２０２、復号部２０３、受信アンテナＲ０２）、および複数の周波数（周波数帯、周波数帯域幅）、および送信系のブロック（符号部２０７、変調部２０８、送信部２０９、送信アンテナＲ０２）の一部あるいはすべてを複数備える構成であってもよい。
【０１３３】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。
【０１３４】
また、送信データ制御部２０６は、無線リソース制御部２１０から入力される繰り返し設定に基づき、自基地局装置の送信の繰り返し回数を設定してもよい。繰り返し回数は物理チャネル単位、または、論理チャネル（論理チャネルグループ単位）で設定されてもよい。
【０１３５】
また、符号部２０７は、入力されたＭＡＣ制御要素と各データを符号化し、変調部２０８へと入力する。変調部２０８は、符号化された信号の変調処理を行なう。変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い、送信アンテナＴ０２を経由して信号を送信する。下りリンク制御データが配置される物理下りリンク共用チャネルは、典型的にはレイヤ３メッセージ（ＲＲＣメッセージ）を構成する。
【０１３６】
また、受信部２０１は、端末装置１から受信アンテナＲ０２を経由して受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へと入力される。
【０１３７】
復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、関係するデータは受信データ制御部２０４へと入力される。
【０１３８】
受信データ制御部２０４は、受信したＭＡＣ制御要素に基づく物理レイヤ制御部２０５の制御（例えば、パワーヘッドルームレポートに関する制御や、バッファステータスレポートに関する制御など）や、復号された各データをバッファリングし、再送されたデータの誤り訂正制御（ＨＡＲＱ）を行う。受信データ制御部２０４へ入力された各データは、必要に応じて無線リソース制御部２１０へと入力（転送）される。
【０１３９】
また、受信データ制御部２０４は、端末装置１からバッファステータスレポートが復号部２０３から入力された場合、自基地局装置との通信のための無線リソース要求かデバイス間データ通信のための無線リソース要求かを判別し、該端末装置１に割り当てる無線リソースを設定する。
【０１４０】
また、受信データ制御部２０４は、上りリンクリファレンスシグナルの受信品質を測定し、無線リソース制御部２１０に報告してもよい。無線リソース制御部２１０は、報告された受信品質に基づいてカバレッジ拡張における端末装置１の送信の繰り返し回数を決定してもよい。
【０１４１】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１４２】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１４３】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１４４】
また、無線リソース制御部２１０は、端末装置１からの測定報告メッセージ、および／または受信データ制御部２０４からの上りリンクの受信品質情報に基づいて送信、または、受信の繰り返し回数（受信繰り返し回数、送信繰り返し回数）の情報を設定する。すなわち、無線リソース制御部２１０は、端末装置１が受信する下りリンクの繰り返し回数と、端末装置１が送信する上りリンクの繰り返し回数とを、端末装置１毎に設定する。繰り返し回数は、上りリンクと下りリンクで共通的に設定されてもよいし、上りリンクと下りリンクでそれぞれ独立して設定されてもよいし、物理チャネル毎に設定されてもよい。
【０１４５】
無線リソース制御部２１０は、前述の繰り返し回数を情報要素として含んだＲＲＣメッセージを作成し、受信データ制御部２０４に出力する。また、無線リソース制御部２１０は、端末装置１に対して設定した受信の繰り返し回数、および／または、送信の繰り返し回数を物理レイヤ制御部２０５に通知する。ＲＲＣメッセージは、例えばＲＲＣ再設定メッセージでもよいし、新規のＲＲＣメッセージでもよい。
【０１４６】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１４７】
端末装置１がＲＲＣアイドル状態からＲＲＣ接続状態となる場合に実行される、ＲＲＣ接続確立手順（ＲＲＣ  Ｃｏｎｎｅｃｔｉｏｎ  Ｅｓｔａｂｌｉｓｈｍｅｎｔ  Ｐｒｏｃｅｄｕｒｅ）の場合について説明する。
【０１４８】
端末装置１は、ＲＲＣ接続確立手順において、選択した在圏セル（Serving cell）からシステム情報を取得し、取得したシステム情報に情報要素（information element）として含まれる共通無線リソース設定（Radio resource configuration common）に基づいてランダムアクセス手順を実行する。
【０１４９】
このとき、端末装置１がＲＲＣ接続確立手順のために用いるランダムアクセス手順に必要なパラメータの一部または全部は、すべての端末装置１（すなわち、第１〜第３のタイプの端末装置）に対するシステム情報（例えばSystem Information Block Type2、SIB2）に含まれる共通無線リソース設定によって提供されてもよいし、カバレッジ拡張に対応する端末装置１（すなわち、第２と第３のタイプの端末装置）に対するシステム情報（例えばSystem Information Block Type20、SIB20）に含まれる共通無線リソース設定で提供されてもよいし、両方のシステム情報に含まれて提供されてもよい。
【０１５０】
また、端末装置１において使用される、ＲＲＣ接続確立手順に関する端末装置のタイマーおよび定数（ＵＥ  Ｔｉｍｅｒ  Ａｎｄ  Ｃｏｎｓｔａｎｔｓ）設定（以後、タイマー／定数設定と称する）が、第１のシステム情報、および／または、第２のシステム情報に含まれて提供（送信）されてもよい。
【０１５１】
共通無線リソース設定とタイマー／定数設定とを、すべての端末装置１に対する情報要素として含むシステム情報を第１のシステム情報と称する。また、共通無線リソース設定とタイマー／定数設定とを、カバレッジ拡張に対応する端末装置１に対する情報要素として含むシステム情報を第２のシステム情報と称する。
【０１５２】
第１のシステム情報に含まれる共通無線リソース設定を第１の共通無線リソース設定と称し、第２のシステム情報に含まれる共通無線リソース設定を第２の共通無線リソース設定と称する。第１のシステム情報に含まれるタイマー／定数設定を第１のタイマー／定数設定と称し、第２のシステム情報に含まれるタイマー／定数設定を第２のタイマー／定数設定と称する。
【０１５３】
ここで、第２のシステム情報とは、ある短い周期（例えばサブフレーム単位）で繰り返し送信されるシステム情報であって、カバレッジ拡張に対応する端末装置１において繰り返し受信することで取得可能なシステム情報である。
【０１５４】
新たなシステム情報（第２のシステム情報。例えばSIB20）を用いる場合、かかるシステム情報は、以下に示す少なくとも一つの特徴を備えてもよい。（１）連続した６ＲＢ以下の帯域幅（狭帯域（narrowband））で送信される、（２）基地局装置２からバンドリング（レピティション）されて送信される、（３）ＰＤＣＣＨ、またはＥＰＤＣＣＨを必要としない（ＰＤＣＣＨ、またはＥＰＤＣＣＨでスケジューリングされない）、（４）異なる領域（サーチスペース）に配置されるＰＤＣＣＨまたはＥＰＤＣＣＨでスケジューリングされる、（５）狭帯域のＰＤＣＣＨまたはＥＰＤＣＣＨでスケジューリングされる、（６）他のシステム情報（例えば、ＭＩＢ／ＳＩＢ１）、またはシステムパラメータによって変調および符号化方法（modulation and coding scheme）が指定される、（７）システム情報の変更期間（modification period）が従来よりも長期間である、（８）第２と第３のタイプの端末装置においてのみ使用されうる、（９）第２と第３のタイプの端末装置において不可欠（essential）なシステム情報であるとみなされる。
【０１５５】
カバレッジ拡張に対応していない端末装置１は、第１の共通無線リソース設定に含まれるランダムアクセスパラメータ（第１のパラメータ）を使用し、カバレッジ拡張に対応している端末装置１は、第２の共通無線リソース設定に含まれるカバレッジ拡張に関する新たなランダムアクセスパラメータ（第２のパラメータ）を使用してランダムアクセスを行うようにしてもよい。
【０１５６】
このとき、繰り返し回数（レピティションレベル、またはバンドリングサイズ）に対応した複数のランダムアクセスパラメータのセットが第２の共通無線リソース設定に含まれていてもよいし、一部のランダムアクセスパラメータが第２の共通無線リソース設定に含まれていてもよい。例えば、繰り返し回数として１〜３回をサポートする基地局装置２（セル）は、第２の共通無線リソース設定に３通りのランダムアクセスに関するパラメータ（ランダムアクセスパラメータ）のセットを含めて送信している。
【０１５７】
端末装置１は、繰り返し回数に対応したランダムアクセスパラメータに基づいてランダムアクセスリソース選択を行ってもよい。すなわち、繰り返し回数（または、レピティションレベル）と、カバレッジ拡張セルにおけるランダムアクセスリソースとは、１対１にマッピングされてもよい。ここで、端末装置１によって選択されるランダムアクセスリソースは、ランダムアクセスプリアンブルグループ、ランダムアクセスプリアンブルを送信するサブフレームが少なくとも含まれており、さらに、上りリンクの周波数リソース割り当てや、周波数ホッピングパターンがランダムアクセスリソースとして選択されてもよい。
【０１５８】
複数のランダムアクセスパラメータのセットが第２の共通無線リソース設定に設定されている場合、端末装置１は、そのセルにおける測定結果（ＲＳＲＰ、および／または、ＲＳＲＱ）に基づいて、対応するパラメータ（パラメータセット）を一つ選択してもよい。すなわち、端末装置１は、そのセルにおける測定結果に基づいて繰り返し回数（レピティションレベル）を決定し、また、繰り返し回数（レピティションレベル）に対応するパラメータ（またはパラメータのセット）に基づいて、ランダムアクセスリソース選択を行ってもよい。
【０１５９】
また、端末装置１は、端末装置能力（ＵＥ  Ｃａｐａｂｉｌｉｔｙ）に基づいて、対応するパラメータ（またはパラメータのセット）を選択してもよい。ここで考慮される端末装置１の端末装置能力とは、例えば、端末装置１がサポートする最大繰り返し回数などの物理層の能力情報、第１から第３までの端末装置１のタイプに関する能力情報、端末装置１がモビリティ（すなわち、セルリセレクション、ハンドオーバーなどのセルの変更を伴う手順）をサポートするか否か（あるいは、移動可能な端末装置か否か）を示すその他の能力情報、などである。
【０１６０】
カバレッジ拡張に対応する端末装置１の測定に対して要求される条件は、通常の端末装置１（normal coverage UEとも称される）の測定に対して要求される条件よりも緩和されていてもよい。
【０１６１】
また、繰り返し回数（または、レピティションレベル）に１対１に対応した複数のＵＥタイマー（ＲＲＣタイマーとも称する）、および／または、定数の設定が第２のタイマー／定数設定に含まれていてもよい。すなわち、繰り返し回数として１〜３回をサポートするセルは、ＵＥタイマー、および／または、定数の設定を３セット持つ。
【０１６２】
第２のタイマー／定数設定に含まれるＵＥタイマーは、例えば、Ｔ３００、Ｔ３０１、Ｔ３１０、Ｔ３１１である。また、第２のタイマー／定数設定に含まれる定数は、例えば、Ｎ３１０とＮ３１１である。Ｔ３００はＲＲＣ接続確立手順において使用されるタイマーであり、Ｔ３０１はＲＲＣ接続再確立手順において使用されるタイマーであり、Ｔ３１０は無線リンク障害検出において使用されるタイマーであり、Ｔ３１１は無線リンク障害検出後のセルサーチにおいて使用されるタイマーである。Ｎ３１０は同期プリミティブでありin-sync indicationの最大カウント数を示す定数であり、Ｎ３１１は同期プリミティブでありout-of-sync indicationの最大カウント数を示す定数である。
【０１６３】
図３は、カバレッジ拡張に対応する端末装置１のＲＲＣ接続確立手順におけるＵＥタイマーの選択処理の一例について説明するためのフローチャート図である。
【０１６４】
基地局装置２は、カバレッジ拡張を行うセルにおいて第２のシステム情報を繰り返し送信している。また、基地局装置２は、第２のシステム情報に少なくとも第２の共通無線リソース設定と、第２のタイマー／定数設定とを含めて送信している。なお、第２のシステム情報は、第２のシステム情報に対応するＢＣＣＨ（ＢＣＨ、またはＳＩＢ）を含むＴＢ（ＭＡＣ  ＰＤＵ）ともいえる。
【０１６５】
例えば、基地局装置２は、第２のシステム情報について、ある繰り返し回数（例えば３０回）の繰り返し（バンドリング）送信を行っている。あるいは、基地局装置２は、第２のシステム情報について、繰り返し送信を行っている。
【０１６６】
端末装置１は、ステップＳ１０１で、かかるセルで繰り返し送信されている第２のシステム情報の受信（取得）を試みる。すなわち、端末装置１は、第２のシステム情報について、受信処理を繰り返すことによって第２のシステム情報の取得を試みる。このとき、端末装置１は、第２の共通無線リソース設定と、第２のタイマー／定数設定を受信した第２のシステム情報から少なくとも取得する。
【０１６７】
続いて端末装置１は、ステップＳ１０２において、レピティションレベルを決定する。端末装置１におけるレピティションレベルは、（１）第２のシステム情報で示される共通レピティションレベル、（２）ランダムアクセスリソース選択において測定結果に基づいて決定したレピティションレベル、（３）端末装置１の能力情報に基づいて決定したレピティションレベル、（４）基地局装置２からランダムアクセス手順中に通知された（割り当てられた）レピティションレベル、のいずれかを用いて決定（選択）することができる。
【０１６８】
なお、基地局装置２は、そのセルで端末装置１が適用可能なレピティションレベルの最大値をセル毎のシステム情報に含めて送信することもできる。また、端末装置１は、レピティションレベルの最大値が指定されなかった場合、デフォルト値、または、その端末装置１がサポートするレピティションレベルの最大値を、そのセルのレピティションレベルの最大値として用いてもよい。
【０１６９】
なお、基地局装置２からランダムアクセス手順中にレピティションレベルが通知（設定、指示）される場合（上記（４）の場合）、少なくともランダムアクセスプリアンブルの送信に適用されるレピティションレベルは、端末装置１によって決定（選択）される必要がある。端末装置１は、基地局装置２から指示されたレピティションレベルをメッセージ３以降の送受信に対して適用する。なお、端末装置１におけるレピティションレベルの決定方法は、上記（１）〜（３）のいずれかの方法を用いることができる。
【０１７０】
基地局装置２から指示されるレピティションレベルは、ランダムアクセスレスポンス内のＭＡＣ制御要素によって通知されてもよいし、ランダムアクセスレスポンス（ＤＬ−ＳＣＨ）によって示されてもよいし、ＰＤＣＣＨまたはＥＰＤＣＣＨで通知される物理レイヤの下りリンク制御情報によって示されてもよい。または、レピティションレベルは、ランダムアクセスレスポンスが送信されるサブフレーム番号、および／または、周波数リソースによって暗黙的に通知されてもよい。レピティションレベルは、上りリンクと下りリンクで独立して設定されてもよい。また、コンテンションレゾリューション内のＭＡＣ制御要素によって通知されてもよいし、コンテンションレゾリューション（ＤＬ−ＳＣＨ）によって示されてもよい。
【０１７１】
基地局装置２は、検出したランダムアクセスプリアンブルで使用されているランダムアクセスリソースが、そのセルにおけるカバレッジ拡張に関するリソースである場合、かかるランダムアクセスリソースに基づいてランダムアクセスレスポンスの送信周波数、および／または、ランダムアクセスレスポンスの送信回数（レピティションレベル）を決定してもよい。
【０１７２】
すなわち、基地局装置２は、端末装置１から送信されたランダムアクセスプリアンブル、および／または、ランダムアクセスプリアンブルを受信した周波数に基づいてランダムアクセスレスポンスの送信リソースを決定してもよい。基地局装置２は、ランダムアクセスレスポンスのスケジュールのためのＰＤＣＣＨまたはＥＰＤＣＣＨを送信しなくてもよい。端末装置１は、ＰＤＣＣＨまたはＥＰＤＣＣＨをモニタせずに、ランダムアクセスレスポンスを直接モニタしてもよい。端末装置１は、選択したランダムアクセスリソースに基づいてランダムアクセスレスポンスの送信周波数、および／または、ランダムアクセスレスポンスのレピティションレベルを決定し、ランダムアクセスレスポンスをモニタしてもよい。
【０１７３】
続いて端末装置１は、ＲＲＣ接続確立手順に用いるタイマー（ＵＥタイマー）を設定する（ステップＳ１０３）。端末装置１は、ＲＲＣ接続確立手順の場合、ＵＥタイマーとして、タイマーＴ３００を使用する。タイマーＴ３００は、（Ａ１）第２のシステム情報に含まれる第２のタイマー／定数設定で示される値を用いてもよいし、（Ｂ１）ステップＳ１０２で決定したレピティションレベルに基づいて設定されてもよいし、（Ｃ１）参照時間（Ｔ３００ｒｅｆｅｒｅｎｃｅ）とオフセット時間（Ｔ３００ｏｆｆｓｅｔ）の設定値を合計して得られる値として設定されてもよい。以後、カバレッジ拡張セルにおけるＲＲＣ接続確立手順に用いるＵＥタイマーを、従来のタイマーＴ３００と区別するため、タイマーＴ３０８と称する（タイマーＴ３００ｂｉｓとも称する）。
【０１７４】
すなわち、基地局装置２は、端末装置１に対し、（Ａ２）第２のシステム情報に含まれる第２のタイマー／定数設定でタイマーＴ３０８の値を示してもよいし、（Ｂ２）レピティションレベルに基づく複数のタイマーＴ３０８の値を通知してもよいし、（Ｃ２）タイマーＴ３０８を計算するための参照時間（Ｔ３０８ｒｅｆｅｒｅｎｃｅ）とオフセット時間（Ｔ３０８ｏｆｆｓｅｔ）を通知してもよい。
【０１７５】
上記（Ａ１／Ａ２）において、第２のシステム情報に含まれるタイマーの値は、第１のタイマー／定数設定の値よりも最大時間が長く設定できることが望ましい。例えば、第１のタイマー／定数設定で通知されるタイマーＴ３００（第１のタイマー）として、１００ｍｓ、２００ｍｓ、３００ｍｓ、４００ｍｓ、５００ｍｓ、６００ｍｓ、１０００ｍｓ、２０００ｍｓの値のいずれかが設定可能であるとき、第２のタイマー／定数設定で通知されるタイマーＴ３０８（第２のタイマー）として、５００ｍｓ、１０００ｍｓ、２０００ｍｓ、３０００ｍｓ、５０００ｍｓ、１００００ｍｓ、１５０００ｍｓ、２００００ｍｓの値のいずれかが設定可能であることが望ましい。
【０１７６】
あるいは、上記（Ａ１／Ａ２）において、第２のシステム情報に含まれる第２のタイマー／定数設定の値は、第１のシステム情報に含まれる第１のタイマー／定数設定の値と異なる範囲の値でもよく、さらに、第１のタイマー／定数設定に設定可能な値の範囲を常に上回ってもよい。例えば、第１のタイマー／定数設定で通知されるタイマーＴ３００（第１のタイマー）として、１００ｍｓ、２００ｍｓ、３００ｍｓ、４００ｍｓ、５００ｍｓ、６００ｍｓ、１０００ｍｓ、２０００ｍｓの値のいずれかが設定可能であるとき、第２のタイマー／定数設定で通知されるタイマーＴ３０８（第２のタイマー）として、３０００ｍｓ、４０００ｍｓ、５０００ｍｓ、６０００ｍｓ、１００００ｍｓ、１５０００ｍｓ、２００００ｍｓ、３００００ｍｓの値のいずれかが設定可能であることが望ましい。
【０１７７】
また、上記（Ｂ１／Ｂ２）において、レピティションレベルとして１〜３が選択されるセルの場合、それぞれのレピティションレベルに１対１に対応する３通りの異なるタイマーＴ３０８（第２のタイマー）の値が用意（送信）されてもよい。例えば、レピティションレベルが１であった場合、端末装置１は、第２のタイマー／定数設定からレピティションレベル１に対応するタイマーＴ３０８を選択して用いてもよい。基地局装置２は、端末装置１に対し、第２のタイマーを第２のシステム情報に含めて送信してもよいし、専用ＲＲＣメッセージで送信してもよい。
【０１７８】
また、上記（Ｃ１／Ｃ２）において、オフセット時間（Ｔ３０８ｏｆｆｓｅｔ）はステップＳ１０２で決定したレピティションレベルに基づいて設定されてもよい。すなわち、レピティションレベルとして１〜３が選択されるセルの場合、それぞれのレピティションレベルに１対１に対応する３通りの異なるオフセット時間の値が用意（送信）されてもよい。例えば、レピティションレベルが１であった場合、端末装置１は、第２のタイマー／定数設定からレピティションレベル１に対応するオフセット時間（Ｔ３０８ｏｆｆｓｅｔ−ｌｖ１）を選択して用いてもよい。
【０１７９】
あるいは、上記（Ｃ１／Ｃ２）において、オフセット時間（Ｔ３０８ｏｆｆｓｅｔ）はステップＳ１０２で決定したレピティションレベルに基づく倍数（係数）の値によって計算されてもよい。すなわち、レピティションレベルとして１〜３が選択されるセルの場合、それぞれのレピティションレベルに１対１に対応する３通りの異なる倍数の値が用意（送信）されており、端末装置１は、レピティションレベルに基づいて選択した倍数を参照時間（Ｔ３０８ｒｅｆｅｒｅｎｃｅ）に乗算し、ＵＥタイマーを計算してもよい。
【０１８０】
例えば、参照時間（Ｔ３０８ｒｅｆｅｒｅｎｃｅ）が５００ｍｓであり、レピティションレベルが１であった場合、端末装置１は、第２のタイマー／定数設定からレピティションレベル１に対応する倍数の値（例えば２）を選択し、参照時間と対応する倍数の値からタイマーＴ３０８を計算して用いる。本例では、タイマーＴ３０８の値は、５００＊２＝１０００ｍｓである。あるいは、レピティションレベルがそのまま倍数の値を示してもよい。また、基地局装置２は、参照時間として、セル毎に異なった値を設定してもよい。
【０１８１】
基地局装置２は、端末装置１に対し、参照時間およびオフセット時間（または、倍数）を第２のシステム情報に含めて送信してもよいし、専用ＲＲＣメッセージで送信してもよい。
【０１８２】
上記（Ａ１／Ａ２）のように、第２のシステム情報から取得されたタイマーＴ３０８（第２のタイマー）を用いる場合、端末装置１は、タイマーＴ３０８をスタート後、ＲＲＣ接続確立手順におけるＲＲＣ接続要求（RRC Connection Request）メッセージを生成し、下位レイヤに提供（submit）すればよい。
【０１８３】
一方、上記（Ｂ１／Ｂ２）や（Ｃ１／Ｃ２）のように、レピティションレベルに基づくタイマーＴ３０８（第２のタイマー）を用いる場合、ランダムアクセス手順は、ＲＲＣ接続要求メッセージが端末装置１のＲＲＣエンティティーから端末装置１の下位レイヤ（lower layer（例えばＰＤＣＰエンティティー、または、ＲＬＣエンティティー））に提供（submit）された後に開始される。そのため、端末装置１（ＲＲＣエンティティー）は、下位レイヤからレピティションレベルに関する情報（インディケーション）を受信した後に、受信したレピティションレベルに基づくタイマーＴ３０８を開始する必要がある。これについて、図４と図５を用いて説明する。
【０１８４】
図４は、カバレッジ拡張に対応する端末装置１のＲＲＣ接続確立手順におけるＵＥタイマーの開始処理の一例について説明するためのフローチャート図である。図４は、端末装置１のＭＡＣエンティティーがランダムアクセス手順を開始したときに、端末装置１の上位レイヤ（例えば、ＲＲＣエンティティー）に対してインディケーションを送信する場合の例を示している。
【０１８５】
図４において、端末装置１は、カバレッジ拡張に対応したセルに対するランダムアクセス手順を開始する前に、レピティションレベルを決定する。レピティションレベルの決定方法は、ステップＳ１０２の方法のいずれかを用いてよい。端末装置１（ＲＲＣエンティティー）は、ＲＲＣ接続要求メッセージを下位レイヤに提供（submit）する。端末装置１のＭＡＣエンティティーは、ＲＲＣ接続要求メッセージを送信するためにランダムアクセス手順を開始する（ステップＳ２０２）。ランダムアクセス手順中の端末装置１のＭＡＣエンティティーは、端末装置１の上位レイヤ（higher/upper layer（例えばＲＲＣエンティティー））に対し、レピティションレベルを示すインディケーションを送信する（ステップＳ２０３）。
【０１８６】
例えば、端末装置１のＭＡＣエンティティーは、ランダムアクセスプリアンブル送信のための（一時的な）レピティションレベルを端末装置１が選択したときに、インディケーションを端末装置１の上位レイヤに送信する。また、例えば、端末装置１のＭＡＣエンティティーは、基地局装置２からランダムアクセス手順中にレピティションレベルが通知（指示）されたときに、端末装置１の上位レイヤにインディケーションを送信する。ここで、インディケーションには、かかるセルにおける端末装置１のレピティションレベル、あるいは、レピティションレベルを示す情報が少なくとも含まれる。
【０１８７】
換言すると、ステップＳ２０３において、端末装置１（ＲＲＣエンティティー）は、ランダムアクセス手順の開始時（ランダムアクセスリソース選択時）、あるいは、ランダムアクセス手順中にレピティションレベルの情報を含むインディケーションを下位レイヤから受信する。
【０１８８】
インディケーションを受信した端末装置１（ＲＲＣエンティティー）は、ＲＲＣ接続確立手順に関するタイマー（ＵＥタイマー）として、レピティションレベルに基づいてタイマーＴ３０８の値を決定し、かかるタイマーＴ３０８の計時を開始する（ステップＳ２０４）。
【０１８９】
図５は、カバレッジ拡張に対応する端末装置１のＲＲＣ接続確立手順におけるＵＥタイマーの開始処理の別の一例について説明するためのフローチャート図である。図５におけるステップＳ３０１とステップＳ３０２は、それぞれ、図４のステップＳ２０１とステップＳ２０２と同じ動作であるため説明を省略する。
【０１９０】
ステップＳ３０３において、端末装置１のＭＡＣエンティティーは、ランダムアクセス手順が成功したかどうかを判断する。ランダムアクセス手順が成功していれば（ステップＳ３０３でＹｅｓ）、端末装置１のＭＡＣエンティティーは、端末装置１の上位レイヤ（higher/upper layer（例えばＲＲＣエンティティー））に対し、レピティションレベルを示すインディケーションを送信する（ステップＳ３０４）。一方、端末装置１のＭＡＣエンティティーは、ランダムアクセス手順が成功していない場合（ステップＳ３０３でＮｏ）、ランダムアクセス手順が成功するまで処理を繰り返す。
【０１９１】
換言すると、ステップＳ３０４において、端末装置１（ＲＲＣエンティティー）は、ランダムアクセス手順の成功時におけるレピティションレベルの情報を含むインディケーションを下位レイヤから受信する。
【０１９２】
なお、端末装置１（ＲＲＣエンティティー）は、下位レイヤからインディケーションが通知されない場合のデッドロックを防ぐために、第２のシステム情報から取得される別のＵＥタイマー、あるいはＭＡＣタイマーをステップＳ３０２において開始してもよい。ＵＥタイマー（以後、Ｔ３０９と称する）を用いる場合、ＲＲＣ接続要求メッセージの生成後、または、ＲＲＣ接続要求メッセージ下位レイヤに提供（submit）する場合にＴ３０９を開始する。ＭＡＣタイマー（以後、ＣＥ−ＲＡＣＨタイマーと称する）を用いる場合、ランダムアクセスプリアンブルの初期送信サブフレームからＣＥ−ＲＡＣＨタイマーを開始する。
【０１９３】
端末装置１（ＲＲＣエンティティー）は、タイマーＴ３０９が満了した場合、ＲＲＣ接続確立手順が失敗したと判断しても良い。また、端末装置１（ＲＲＣエンティティー）は、下位レイヤからのインディケーションを受信した場合（図５のステップＳ３０４）、タイマーＴ３０９を停止してもよいし、さらに、タイマーＴ３０８を開始してもよい。
【０１９４】
また、端末装置１（ＭＡＣエンティティー）は、ＣＥ−ＲＡＣＨタイマーが満了した場合、ランダムアクセス手順が失敗したと判断しても良い。また、端末装置１（ＭＡＣエンティティー）は、ランダムアクセス手順が成功した場合、ＣＥ−ＲＡＣＨタイマー（図５のステップＳ３０３）を停止してもよい。
【０１９５】
下位レイヤからのインディケーションを受信した端末装置１（ＲＲＣエンティティー）は、ＲＲＣ接続確立手順に関するタイマー（ＵＥタイマー）として、指示されたレピティションレベルに基づいてタイマーＴ３０８を決定し、かかるタイマーＴ３０８の計時を開始する（図５のステップＳ３０５）。また、タイマーＴ３０８が満了した場合、端末装置１（ＲＲＣエンティティー）は、ＲＲＣ接続確立手順が失敗したと判断して良い。
【０１９６】
図４と図５は、端末装置１のレピティションレベルに基づいて異なるＵＥタイマーが設定される場合の一例であるが、上記（Ａ１／Ａ２）のように、カバレッジ拡張に対応した長時間のＵＥタイマーを設定することにより、ＵＥタイマーの開始タイミングを従来の端末装置１と同じようにしてもよい。ただし、この場合のタイマー値は、端末装置１のレピティションレベルに対応して決定（設定）されていないため、ＵＥタイマーが満了するまでの時間が必要以上に増加する場合がある。図６は、この満了までの時間の増加に関し、カバレッジ拡張に対応する端末装置１が、ＲＲＣ手順を途中で中止（停止）する方法について説明するための図である。
【０１９７】
図６において、端末装置１は、ＵＥタイマーを開始する（ステップＳ４０１）。このとき、端末装置１は、第２のシステム情報に含まれる第２のタイマー／定数設定から取得した、ＲＲＣ接続確立手順に関するタイマーＴ３０８を開始してもよい。
【０１９８】
続いて、端末装置１のＭＡＣエンティティーは、ＲＲＣ接続確立手順の一手順として、ランダムアクセス手順を開始する（ステップＳ４０２）。端末装置１のＭＡＣエンティティーは、ステップＳ４０３で、直近に送信したランダムアクセスに関する送信データの応答をモニタする。
【０１９９】
すなわち、端末装置１が直近に送信した送信データがランダムアクセスプリアンブルである場合、端末装置１のＭＡＣエンティティーは、ステップＳ４０３で、ランダムアクセスレスポンスをモニタする。端末装置のＭＡＣエンティティーは、受信したランダムアクセスレスポンスに対応するランダムアクセスプリアンブルＩＤが含まれていた場合（ステップＳ４０３でＹｅｓ）、ランダムアクセスレスポンスの受信が成功したとみなし（consider, determine, deem）、次の手順へ移る（図示せず）。
【０２００】
なお、端末装置１は、ランダムアクセスプリアンブルの送信後、ランダムアクセスレスポンスウィンドウの間にランダムアクセスレスポンスを受信しなかった場合、あるいは、送信したランダムアクセスプリアンブルに対応するランダムアクセスプリアンブルＩＤを含むランダムアクセスレスポンスを受信しなかった場合（ステップＳ４０３でＮｏ）、ランダムアクセスレスポンスの受信が成功しなかったとみなす。
【０２０１】
あるいは、端末装置１が直近に送信した送信データがランダムアクセスレスポンスに含まれているスケジューリング情報に基づく送信データである場合、端末装置１のＭＡＣエンティティーは、ステップＳ４０３で、コンテンションレゾリューションを行う。端末装置のＭＡＣエンティティーは、受信した下りリンクデータに端末装置１のＣ−ＲＮＴＩ、または、送信したコンテンションレゾリューションＩＤが含まれていた場合（ステップＳ４０３でＹｅｓ）、コンテンションレゾリューションが成功したとみなし（consider, determine, deem）、次の手順へ移る（図示せず）。
【０２０２】
なお、端末装置１は、ランダムアクセスレスポンスに含まれているスケジューリング情報に基づく送信データを送信した後、コンテンションレゾリューションに関するタイマー（mac-ContentionResolutionTimer）の満了前にコンテンションレゾリューションが成功しなかった場合、（ステップＳ４０３でＮｏ）、コンテンションレゾリューションが成功しなかったとみなす。
【０２０３】
ランダムアクセスレスポンスの受信が成功しなかった場合、または、コンテンションレゾリューションが成功しなかった場合、端末装置１のＭＡＣエンティティーは、下位レイヤからパワーランピングの一時中止（suspension）が通知されていなければ、プリアンブル送信カウンタを一つインクリメントする。端末装置１は、インクリメントしたプリアンブル送信カウンタ（すなわち、プリアンブル送信回数）の値が、最大値（＝preambleTransMax＋１）に達しているかどうかについて確認する（ステップＳ４０４）。
【０２０４】
プリアンブル送信回数が最大値に達している場合（ステップＳ４０４でＹｅｓ）、端末装置１のＭＡＣエンティティーは、ステップＳ４０５で、上位レイヤに対してランダムアクセス問題（random access problem）が発生したことを指示するインディケーション（random access problem indication）を送信する。このとき、端末装置１（ＭＡＣエンティティー）は、レピティションレベルがそのセルがサポートする最大レピティションレベルの値（レピティションレベルの最大値）に達していない場合、次のレピティションレベルにおいてランダムアクセスリソースを選択し、ランダムアクセス手順を実行してもよい。最大レピティションレベルは、第２のシステム情報でセル毎に設定されてもよい。
【０２０５】
換言すれば、端末装置１（ＲＲＣエンティティー）は、下位レイヤからランダムアクセス問題が発生したことを示すインディケーション（情報）を受信する。このとき、端末装置１（ＲＲＣエンティティー）は、実行中のＲＲＣ手順（ＲＲＣ接続確立手順）を中止する（ステップＳ４０６）。
【０２０６】
プリアンブル送信回数が最大値に達していない場合（ステップＳ４０４でＮｏ）、端末装置１のＭＡＣエンティティーは、ステップＳ４０７で、ＵＥタイマー（Ｔ３０８）が満了しているかどうかを判断する。ＵＥタイマーが満了していない場合（ステップＳ４０７でＮｏ）、端末装置１は、実行中のランダムアクセス手順を継続する。一方、ＵＥタイマーが満了していない場合（ステップＳ４０７でＹｅｓ）、端末装置１は、実行中のＲＲＣ手順（本例では、ＲＲＣ接続確立手順）を中止してもよい（ステップＳ４０６）。
【０２０７】
なお、端末装置１（ＲＲＣエンティティー）は、第１のタイマー（Ｔ３００）を計時中であって、かつ、通常のセルにおけるランダムアクセス問題が発生したことを示すインディケーションを下位レイヤから受信した場合、受信したインディケーションを無視し、ＲＲＣ手順（すなわち、ＲＲＣ接続確立手順）を継続してもよい。一方、端末装置１（ＲＲＣエンティティー）は、第２のタイマー（Ｔ３０８）を計時中であって、かつ、カバレッジ拡張セルにおけるランダムアクセス問題が発生したことを示すインディケーションを下位レイヤから受信した場合、実行中のＲＲＣ手順（本例では、ＲＲＣ接続確立手順）を中止してもよい。
【０２０８】
さらに、端末装置１（ＲＲＣエンティティー）は、下位レイヤから送信されるインディケーションの通知回数をカウントし、インディケーションの通知回数がある閾値に達した場合に、実行中のＲＲＣ手順（ＲＲＣ接続確立手順）を中止してもよい。閾値は、第２のシステム情報に含まれるランダムアクセス設定情報のパラメータとして設定されてもよい。
【０２０９】
または、端末装置１のＭＡＣエンティティーは、ステップＳ４０５で、上位レイヤに対してレピティションレベルを指示するインディケーションを送信してもよい。換言すれば、端末装置１（ＲＲＣエンティティー）は、第２のタイマー（Ｔ３０８）を計時中であって、かつ、レピティションレベルを指示するインディケーション（情報）を下位レイヤから受信した場合に、実行中のＲＲＣ手順（ＲＲＣ接続確立手順）を中止してもよい。
【０２１０】
または、端末装置１のＭＡＣエンティティーは、ステップＳ４０５で、上位レイヤに対してレピティションレベルがそのセルがサポートする最大レピティションレベルに達したことを示すインディケーションを送信してもよい。換言すれば、端末装置１（ＲＲＣエンティティー）は、第２のタイマー（Ｔ３０８）を計時中であって、かつ、レピティションレベルがそのセルがサポートする最大レピティションレベルに達したことを指示するインディケーション（情報）を下位レイヤから受信した場合に、実行中のＲＲＣ手順（ＲＲＣ接続確立手順）を中止してもよい。
【０２１１】
また、端末装置１は、ＲＲＣ手順に関するタイマー（ＵＥタイマー）を開始せずに、ＲＲＣ手順を開始してもよい。この場合、端末装置１（ＲＲＣエンティティー）は、下位レイヤから送信されるインディケーションに基づいて、実行中のＲＲＣ手順（ＲＲＣ接続確立手順）を中止してもよい。
【０２１２】
ここまで、ＲＲＣ接続確立手順について主に説明してきたが、端末装置１が無線リンク障害（Ｒａｄｉｏ  Ｌｉｎｋ  Ｆａｉｌｕｒｅ、ＲＬＦ）を検出した後にＲＬＦからの復帰のために実行される、ＲＲＣ接続再確立手順（ＲＲＣ  Ｃｏｎｎｅｃｔｉｏｎ  Ｒｅ−ｅｓｔａｂｌｉｓｈｍｅｎｔ  Ｐｒｏｃｅｄｕｒｅ）に対しても同様の方法を適用することができる。ＲＲＣ接続再確立手順において、端末装置１は、Ｔ３００の代わりにＴ３０１をＵＥタイマーとして用いる点が異なるが、その他の多くの手順、例えば、ＵＥタイマーの決定（設定）方法、および、ＵＥタイマーの開始方法などについて、ＲＲＣ接続確立手順と同様の方法を適用することが可能である。
【０２１３】
このように構成することによって、端末装置１は、端末装置１がカバレッジ拡張をサポートしている場合、カバレッジ拡張をサポートする基地局装置２（セル）のシステム情報によって送信される情報を用いることによって、カバレッジ拡張に対応した端末装置１が実行するＲＲＣ手順に用いられるＵＥタイマーを適切に設定することができる。また、基地局装置２は、カバレッジ拡張をサポートする端末装置１によって用いられるＲＲＣ手順に関するＵＥタイマーをシステム情報で送信することができる。
【０２１４】
また、端末装置１は、レピティションレベルにそれぞれ対応する複数のＵＥタイマーから、適切なＵＥタイマーを一つ選択して用いることができる。また、端末装置１は、下位レイヤから送信される、ランダムアクセス手順に関するインディケーションに基づいて、適切なタイミングでＵＥタイマーを開始することができる。また、基地局装置２は、カバレッジ拡張セルにおいて、レピティションレベルに対応した複数のＵＥタイマーをシステム情報で提供することができる。
【０２１５】
このように、基地局装置２と端末装置１において適切なＵＥタイマーを用いたＲＲＣ手順を実行することが可能となるため、効率的な無線リソース制御手順を実現することができる。
【０２１６】
＜第２の実施形態＞
本発明の第２の実施形態について以下に説明する。
【０２１７】
第１の実施形態では、カバレッジ拡張セルにおけるランダムアクセスに必要な時間（繰り返し回数）がレピティションレベルによって異なるため、ＲＲＣ手順に関するタイマー（ＵＥタイマー）に対してレピティションレベルを考慮した変更を行った。第２の実施形態では、ランダムアクセス手順の違いによるＵＥタイマーの設定方法について説明する。
【０２１８】
ＲＲＣ手順の一つであるハンドオーバー手順（ＲＲＣ接続再設定手順）に対し、Contention based Random Access手順とNon-contention based Random Access手順のいずれかが用いられる。ハンドオーバー手順とは、端末装置１のプライマリセルを変更するために用いられるＲＲＣ手順である。
【０２１９】
基地局装置２は、端末装置１に対してハンドオーバーを行わせる（指示する）場合に、ＲＲＣ接続再設定（RRC connection reconfiguration）メッセージにモビリティ制御情報（Mobility Control Information（MobilityControlInfo））を含めて送信する。端末装置１は、基地局装置２から受信したＲＲＣ接続再設定メッセージにモビリティ制御情報が含まれていた場合、かかるメッセージの情報に基づいてハンドオーバー手順を開始する。
【０２２０】
モビリティ制御情報には、少なくともハンドオーバー先として指示されるセル（ターゲットセル）の物理セルＩＤ、ターゲットセルの共通無線リソース設定情報、Ｃ−ＲＮＴＩ、そしてＵＥタイマー（タイマーＴ３０４）が含まれ、オプション設定としてターゲットセルの下りリンク周波数情報や帯域幅情報と、専用ランダムアクセスチャネル設定情報（dedicated RACH configuration（RACH-ConfigDedicated））とが含まれる。専用ランダムアクセスチャネル設定情報は、ターゲットセルで送信されるランダムアクセスプリアンブル（プリアンブルＩＤ）の情報、ターゲットセルで送信されるランダムアクセスの送信サブフレームの情報を含んでもよい。
【０２２１】
また、基地局装置２は、モビリティ制御情報に、ターゲットセルがカバレッジ拡張セルであるかどうかを示す情報を含めてもよい。また、基地局装置２は、モビリティ制御情報に、カバレッジ拡張セルにおけるハンドオーバー手順に用いられるＵＥタイマー（以後、タイマーＴ３０４ｂｉｓと称する）の情報を含めてもよい。また、基地局装置２は、モビリティ制御情報に、ターゲットセルのランダムアクセスプリアンブルに対して適用されるレピティションレベル（または、レピティションレベルを示す情報）を含めてもよい。また、基地局装置２は、モビリティ制御情報に、ターゲットセルのレピティションレベルの最大値を含めてもよい。
【０２２２】
基地局装置２は、ターゲットセルのランダムアクセスレスポンスのスケジュールのためのＰＤＣＣＨまたはＥＰＤＣＣＨを送信しなくてもよい。端末装置１は、ＰＤＣＣＨまたはＥＰＤＣＣＨをモニタせずに、ランダムアクセスレスポンスを直接モニタしてもよい。端末装置１は、専用ランダムアクセスチャネル設定情報で指示されたランダムアクセスリソース（プリアンブルＩＤと送信サブフレーム）とレピティションレベルに基づいて、ランダムアクセスレスポンスをモニタしてもよい。
【０２２３】
また、基地局装置２は共通無線リソース設定情報に、ターゲットセルにおけるランダムアクセスリソース選択を行うために必要となる、繰り返し回数に対応したランダムアクセスパラメータを含めてもよい。すなわち、基地局装置２は、レピティションレベルに対応した複数のランダムアクセスパラメータを共通無線リソース設定情報に含めてもよい。複数のランダムアクセスパラメータは、例えば、ランダムアクセスプリアンブルグループ、ランダムアクセスプリアンブルを送信するサブフレーム、ランダムアクセスを行う上りリンクの周波数リソース割り当て、周波数ホッピングパターン、などに関する情報である。
【０２２４】
ハンドオーバー手順における端末装置１のＵＥタイマーの決定方法の一例について、図７を用いて説明する。
【０２２５】
図７における端末装置１は、基地局装置２から、モビリティ制御情報を含むＲＲＣ接続再設定メッセージを受信している。このとき、ＲＲＣ接続再設定メッセージにレピティションレベルを示す情報が設定（通知、指示）されている場合（ステップＳ５０１でＹｅｓ）、端末装置１（ＲＲＣエンティティー）は、設定されたタイマーＴ３０４ｂｉｓ（第２のハンドオーバー手順タイマー）をハンドオーバー手順に関するタイマー（ＵＥタイマー）として開始する（ステップＳ５０２）。
【０２２６】
そして、端末装置１（ＲＲＣエンティティー）は、ＲＲＣ接続再設定メッセージに含まれる設定（情報要素）に従って端末装置１の無線リソース設定の再設定を行い、ＲＲＣ接続再設定完了（RRC Connection Reconfiguration Complete）メッセージを生成し、下位レイヤに対してＲＲＣ接続再設定完了メッセージを提供（submit）する。
【０２２７】
なお、このときに端末装置１（ＲＲＣエンティティー）は、ＲＲＣ接続再設定メッセージで通知されたレピティションレベルの情報を下位レイヤに対して設定（通知、指示）する。レピティションレベルを設定された下位レイヤ（例えばＭＡＣエンティティー）は、ターゲットセルに対してランダムアクセス手順を開始する（ステップＳ５０３）。
【０２２８】
ＲＲＣ接続再設定メッセージにレピティションレベルを示す情報が設定されていない場合（ステップＳ５０１でＮｏ）、ハンドオーバー手順におけるレピティションレベルは、端末装置１において決定（選択）する必要がある。
【０２２９】
このとき、端末装置１（ＲＲＣエンティティー）は、ＵＥタイマーを開始せずに、ＲＲＣ接続再設定メッセージに含まれる設定（情報要素）に従って端末装置１の無線リソース設定の再設定を行い、ＲＲＣ接続再設定完了（RRC Connection Reconfiguration Complete）メッセージを生成し、下位レイヤに対してＲＲＣ接続再設定完了メッセージを提供（submit）する。
【０２３０】
ランダムアクセス手順は、ＲＲＣ接続再設定完了メッセージが端末装置１のＲＲＣエンティティーから端末装置１の下位レイヤに提供（submit）された後に開始される。そのため、端末装置１（ＲＲＣエンティティー）は、下位レイヤからレピティションレベルに関する情報（インディケーション）を受信した後に、受信したレピティションレベルに基づくタイマーＴ３０４ｂｉｓを開始する必要がある。
【０２３１】
下位レイヤ（例えばＭＡＣエンティティー）は、上位レイヤにおいて送信データがバッファに滞留していることを検出した場合、ランダムアクセス手順を開始する（ステップＳ５０４）。すなわち、端末装置１のＲＲＣエンティティーによって下位レイヤにＲＲＣ接続再設定完了メッセージが提供（submit）されることによって、端末装置１のＭＡＣエンティティーにおいて、ＲＲＣ接続再設定完了メッセージを送信するためのランダムアクセス手順を開始される。
【０２３２】
端末装置１は、ランダムアクセス手順中にレピティションレベルを決定する（ステップＳ５０５）。端末装置１におけるレピティションレベルは、（１）ランダムアクセスリソース選択において測定結果に基づいて決定したレピティションレベル、（２）基地局装置２からランダムアクセス手順中に通知された（割り当てられた）レピティションレベル、のいずれかを用いて決定（選択）することができる。
【０２３３】
なお、基地局装置２からランダムアクセス手順中にレピティションレベルが通知（設定、指示）される場合、かかるレピティションレベルは、ＭＡＣ制御要素で通知されてもよいし、ランダムアクセスレスポンスで示されてもよいし、ＰＤＣＣＨまたはＥＰＤＣＣＨで通知される下りリンク制御情報で示されてもよい。または、かかるレピティションレベルは、ランダムアクセスレスポンスが送信されるサブフレーム番号、および／または、周波数リソースによって暗黙的に通知されてもよい。端末装置１は、レピティションレベルが通知されなかった場合、今のレピティションレベルをそのまま継続する。
【０２３４】
ランダムアクセス手順中にレピティションレベルが決定された場合、端末装置１のＭＡＣエンティティーは、端末装置１の上位レイヤ（higher/upper layer（例えばＲＲＣエンティティー））に対し、レピティションレベルを示すインディケーションを送信する（ステップＳ５０６）。
【０２３５】
例えば、端末装置１のＭＡＣエンティティーは、ランダムアクセスプリアンブル送信のための（一時的な）レピティションレベルを端末装置１が選択したときに、インディケーションを端末装置１の上位レイヤに送信する。また、例えば、端末装置１のＭＡＣエンティティーは、基地局装置２からランダムアクセス手順中にレピティションレベルが通知（指示）されたときに、端末装置１の上位レイヤにインディケーションを送信する。ここで、インディケーションには、かかるセルにおける端末装置１のレピティションレベル、あるいは、レピティションレベルを示す情報が少なくとも含まれる。
【０２３６】
換言すると、ステップＳ５０６において、端末装置１（ＲＲＣエンティティー）は、ランダムアクセス手順の開始時（ランダムアクセスリソース選択時）、あるいは、ランダムアクセス手順中に、レピティションレベルの情報を含むインディケーションを下位レイヤから受信する。
【０２３７】
インディケーションを受信した端末装置１（ＲＲＣエンティティー）は、ハンドオーバー手順に関するタイマー（ＵＥタイマー）として、受信したレピティションレベルに基づいてタイマーＴ３０４ｂｉｓの値を決定し、かかるタイマーＴ３０４ｂｉｓの計時を開始する（ステップＳ５０７）。
【０２３８】
なお、タイマーＴ３０４ｂｉｓに設定される値は、タイマーＴ３０４に設定される値よりも、その最大時間が長く設定できることが望ましい。例えば、タイマーＴ３０４（第１のハンドオーバー手順タイマー）として、５０ｍｓ、１００ｍｓ、１５０ｍｓ、２００ｍｓ、５００ｍｓ、１０００ｍｓ、２０００ｍｓの値のいずれかが設定可能であるとき、タイマーＴ３０４ｂｉｓ（第２のハンドオーバー手順タイマー）として、５００ｍｓ、１０００ｍｓ、２０００ｍｓ、３０００ｍｓ、５０００ｍｓ、１００００ｍｓ、２００００ｍｓのいずれかの値が設定可能であることが望ましい。この場合、タイマーＴ３０４とタイマーＴ３０４ｂｉｓで同じ値が設定できてもよい。
【０２３９】
あるいは、タイマーＴ３０４ｂｉｓに設定される値は、タイマーＴ３０４に設定される値と異なる範囲の値でもよく、さらに、タイマーＴ３０４に設定可能な値の範囲を常に上回ってもよい。つまり、タイマーＴ３０４とタイマーＴ３０４ｂｉｓで同じ値は設定できない。例えば、タイマーＴ３０４（第１のハンドオーバー手順タイマー）として、５０ｍｓ、１００ｍｓ、１５０ｍｓ、２００ｍｓ、５００ｍｓ、１０００ｍｓ、２０００ｍｓの値のいずれかが設定可能であるとき、タイマーＴ３０４ｂｉｓ（第２のハンドオーバー手順タイマー）として、３０００ｍｓ、４０００ｍｓ、５０００ｍｓ、１００００ｍｓ、１５０００ｍｓ、２００００ｍｓ、３００００ｍｓのいずれかの値が設定可能であることが望ましい。
【０２４０】
端末装置１は、タイマーＴ３０４（第１のハンドオーバー手順タイマーと称す）とタイマーＴ３０４ｂｉｓ（第２のハンドオーバー手順タイマーと称す）の両方が基地局装置２から通知（設定）されている場合、カバレッジ拡張セルにおけるハンドオーバー（すなわち、ターゲットセルがカバレッジ拡張セルである場合）であれば、タイマーＴ３０４ｂｉｓを用いてハンドオーバー手順を行い、通常のセルにおけるハンドオーバー（すなわち、ターゲットセルがカバレッジ拡張セルでない場合）であれば、タイマーＴ３０４を用いてハンドオーバー手順を行ってもよい。
【０２４１】
また、端末装置１は、タイマーＴ３０４とタイマーＴ３０４ｂｉｓの両方が基地局装置２から通知（設定）されている場合、タイマーＴ３０４の値に対し、タイマーＴ３０４ｂｉｓの値を加算したタイマー値を、Ｔ３０４とみなして用いてもよい。また、端末装置１は、タイマーＴ３０４とタイマーＴ３０４ｂｉｓの両方が通知（設定）された場合、タイマーＴ３０４ｂｉｓをタイマーＴ３０４とみなして用いてもよい。
【０２４２】
このように構成することによって、端末装置１は、端末装置１がカバレッジ拡張をサポートしている場合、カバレッジ拡張をサポートするハンドオーバー先の基地局装置２（ターゲットセル）に対するハンドオーバー手順において、基地局装置２から個別に通知されるＵＥタイマー、または、ランダムアクセス手順に関するインディケーションに基づいて、ＵＥタイマーを適切に設定することができる。また、基地局装置２は、カバレッジ拡張をサポートする端末装置１に対するハンドオーバー手順を指示する場合に、ハンドオーバー先の基地局装置２（ターゲットセル）で用いられるＵＥタイマーをＲＲＣメッセージで個別に送信することができる。
【０２４３】
また、端末装置１は、ターゲットセルにおけるランダムアクセス手順を行うことによってレピティションレベルを決定し、レピティションレベルにそれぞれ対応する複数のＵＥタイマーから適切なＵＥタイマーを選択して用いることができる。また、端末装置１は、下位レイヤから送信される、ランダムアクセス手順に関するインディケーションに基づいて、適切なタイミングでＵＥタイマーを開始することができる。また、基地局装置２は、カバレッジ拡張セルであるターゲットセルの設定を端末装置１に個別に通知することによって、レピティションレベルに対応した複数のＵＥタイマーから適切なＵＥタイマーを端末装置１に選択させることができる。
【０２４４】
このように、基地局装置２と端末装置１において適切なＵＥタイマーを用いたＲＲＣ手順を実行することが可能となるため、効率的な無線リソース制御手順を実現することができる。
【０２４５】
なお、以上説明した実施形態は単なる例示に過ぎず、様々な変形例、置換例を用いて実現することができる。例えば、使用される送信方式は、ＦＤＤ（周波数分割復信、Frequency Division Duplex）方式、ＴＤＤ（時分割復信、Time Division Duplex）方式、あるいは両方の送信方式を周波数毎に用いるような通信システムに対しても適用可能である。また、実施形態で示される各パラメータや種々の動作に関する名称は、説明の便宜上呼称しているものであって、実際に適用される名称と本発明の実施形態の名称とが異なっていても、本発明の実施形態において主張する発明の趣旨に影響するものではない。
【０２４６】
例えば、カバレッジ拡張のための送信、および／または、受信に関する繰り返しの回数は、繰り返しレベル、カバレッジ拡張レベル、カバレッジレベル、拡張係数（factor）、拡張レベル、レピティションレベル、レピティション係数、拡張レピティション係数、バンドリングサイズ、バンドリング係数、試行回数、試行レベル、アテンプトレベル、または、これらと同義の表現に置き換えることもできる。
【０２４７】
また、各実施形態で用いたエンティティー（entity）はサブレイヤ（sublayer）と同義である。すなわち、ＲＲＣエンティティー、ＰＤＣＰエンティティー、ＲＬＣエンティティー、ＭＡＣエンティティーは、それぞれ、ＲＲＣサブレイヤ、ＰＤＣＰサブレイヤ、ＲＬＣサブレイヤ、ＭＡＣサブレイヤに置き換えて説明することができる。
【０２４８】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２４９】
また、具体的な数値を用いて説明された内容は、説明の便宜上用いた単なる数値の一例に過ぎず、適切な如何なる値が使用されてよい。
【０２５０】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、機器対機器の通信（Ｍａｃｈｉｎｅ  Ｔｙｐｅ  Ｃｏｍｍｕｎｉｃａｔｉｏｎ、マシンタイプ通信）だけではなく、人対人、人対機器、車対人、車対車、路面の建造物対車（路車間）の通信に用いられてもよい。
【０２５１】
また、端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０２５２】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０２５３】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０２５４】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置およびディスプレイ駆動装置、メモリ、入出力インターフェースおよび入出力端子、スピーカー、その他の周辺装置によって構成される。
【０２５５】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０２５６】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なってもよい。なお、ここでいう「コンピュータシステム」とは、ＯＳや周辺機器等のハードウェアを含むものとする。
【０２５７】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０２５８】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０２５９】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２６０】
また、上記プログラムは、前述した機能の一部を実現するためのものであっても良く、さらに、前述した機能をコンピュータシステムに既に記録されているプログラムとの組み合わせで実現できるものであっても良い。
【０２６１】
また、上記各実施形態に用いた端末装置１および基地局装置２の各機能ブロック、または諸特徴は、少なくとも本明細書で述べられた機能を発揮できるように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって実装または実行され得る。
【０２６２】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよいし、その両方を含んでいてもよい。
【０２６３】
プロセッサはまた、コンピューティングデバイスを組み合わせたものとして実装されてもよい。例えば、ＤＳＰとマイクロプロセッサ、複数のマイクロプロセッサ、ＤＳＰコアと接続された一つ以上のマイクロプロセッサ、またはその他のそのような構成を組み合わせたものであってもよい。
【０２６４】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０２６５】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【符号の説明】
【０２６６】
１…端末装置
２…基地局装置
１０１、２０１…受信部
１０２、２０２…復調部
１０３、２０３…復号部
１０４、２０４…受信データ制御部
１０５、２０５…物理レイヤ制御部
１０６、２０６…送信データ制御部
１０７、２０７…符号部
１０８、２０８…変調部
１０９、２０９…送信部
１１０、２１０…無線リソース制御部
２１１…ネットワーク信号送受信部
Ｔ０１、Ｔ０２…送信アンテナ
Ｒ０１、Ｒ０２…受信アンテナ
【図１】
2016153026.tif 000003
【図２】
2016153026.tif 000004
【図３】
2016153026.tif 000005
【図４】
2016153026.tif 000006
【図５】
2016153026.tif 000007
【図６】
2016153026.tif 000008
【図７】
2016153026.tif 000009
【図８】
2016153026.tif 000010
【図９】
2016153026.tif 000011
【国際調査報告】
2016153026.tif 000012
2016153026.tif 000013
2016153026.tif 000014